(57)【要約】  キー操作ロック機能を有する携帯端末装置の使い勝手を向上させる。  ロック制御手段２３には、キー操作が所定時間行われなかった場合、タイマ２２からタイムアウト信号が入力され、また、筐体が閉じた場合、開閉検出部６から筐体が閉じられたことを示す検出結果が入力される。ロック制御手段２３は、タイムアウト信号が入力されたり、開閉検出部６の検出結果が筐体が閉じられたことを示すものになると、ロック指示が発生したと判断し、携帯電話装置の状態が所定の条件を満たしているか否かを判断する。そして、上記所定の条件を満たしている場合は、制御手段２５に対してキー操作ロック起動信号を出力し、満たしていない場合は、上記所定の条件が満たされるのを待ってキー操作ロック起動信号を出力する。
2008038515.tif 000002
【特許請求の範囲】
【請求項１】
ロック指示が発生したとき、自端末の状態が所定の条件を満たしているか否かを判定し、満たしている場合は、直ちにキー操作ロック機能を有効にし、満たしていない場合は、前記所定の条件が満たされるのを待って前記キー操作ロック機能を有効にするロック制御手段を備えたことを特徴とする携帯端末装置。
【請求項２】
請求項１記載の携帯端末装置において、
前記所定の条件が、特定のアプリケーションプログラムが起動されていないことであることを特徴とする携帯端末装置。
【請求項３】
請求項１記載の携帯端末装置において、
前記キー操作ロック機能が、受け付け可能なイベントを制限する機能であることを特徴とする携帯端末装置。
【請求項４】
請求項１記載の携帯端末装置において、
一定時間キー操作が行われなかったとき、前記ロック制御手段に対して前記ロック指示を発生するロック指示手段を備えたことを特徴とする携帯端末装置。
【請求項５】
請求項１記載の携帯端末装置において、
携帯端末装置の筐体が閉じられたとき、前記ロック制御手段に対して前記ロック指示を発生するロック指示手段を備えたことを特徴とする携帯端末装置。
【請求項６】
請求項１記載の携帯端末装置において、
筐体側面に設けられたロック解除キーと、
該ロック解除キーが操作されたとき、認証処理を行い、認証処理に成功した場合、キー操作ロック機能の解除を前記ロック制御手段に指示する認証手段を備えたことを特徴とする携帯端末装置。
【請求項７】
ロック指示が発生したとき、自端末の状態が所定の条件を満たしているか否かを判定し、満たしている場合は、直ちにキー操作ロック機能を有効にし、満たしていない場合は、前記所定の条件が満たされるのを待って前記キー操作ロック機能を有効にすることを特徴とする携帯端末装置におけるキー操作ロック方法。
【請求項８】
請求項７記載の携帯端末装置におけるキー操作ロック方法において、
前記所定の条件が、特定のアプリケーションプログラムが起動されていないことであることを特徴とする携帯端末装置におけるキー操作ロック方法。
【請求項９】
コンピュータを、
ロック指示が発生したとき、携帯端末装置の状態が所定の条件を満たしているか否かを判定し、満たしている場合は、直ちにキー操作ロック機能を有効にし、満たしていない場合は、前記所定の条件が満たされるのを待って前記キー操作ロック機能を有効にするロック制御手段として機能させるためのプログラム。
【請求項１０】
請求項９記載のプログラムにおいて、
前記所定の条件が、特定のアプリケーションプログラムが起動されていないことであることを特徴とするプログラム。
【発明の詳細な説明】
【技術分野】
【０００１】
本発明は、キー操作ロック機能を有する携帯電話装置やＰＨＳ(Personal Handyphone System)等の携帯端末装置に関し、特に、ロック指示が発生したとき、携帯端末装置の状態に応じて直ちにキー操作ロック機能を有効にするか否かを制御できるようにすることにより使い勝手を向上させた携帯端末装置に関する。
【背景技術】
【０００２】
従来から携帯電話装置などの携帯端末装置においては、他人の不正利用、電話帳やメールなどの秘密データの漏洩、鞄やポケットに入れて持ち運ぶ際に発生する恐れがあるキーの誤操作などを防止するために、キー操作ロック機能が設けられている。【０００３】
ところで、キー操作ロック機能を有する従来の一般的な携帯端末装置は、ユーザがキー操作ロック機能を有効にするための特別なキー操作を行ったとき、キー操作ロック機能を有効にするが、これ以外にも、携帯端末装置が折り畳まれたことを契機にしてキー操作ロック機能を有効にする携帯端末装置（例えば、特許文献１、２参照）や、キー操作がされなくなってから所定時間が経過したとき、キー操作ロック機能を有効にする携帯端末装置（例えば、特許文献３参照）や、音楽再生処理を開始してから所定時間後にキー操作ロック機能を有効にする携帯端末装置（例えば、特許文献４参照）も従来から知られている。
【特許文献１】特開平９−２６６５０２号公報
【特許文献２】特開２００１−２１７９２４号公報
【特許文献３】特開２００１−３２０４７７号公報
【特許文献４】特開２００５−１６７４５５号公報
【発明の開示】
【発明が解決しようとする課題】
【０００４】
上述した特許文献１〜４に記載されている携帯端末装置によれば、ユーザが特別なキー操作を行わなくとも、キー操作ロック機能を有効にすることができるので、キー操作ロックの設定し忘れを減少あるいは無くすことができる。【０００５】
しかしながら、特許文献１、２に記載されている携帯端末装置は、携帯端末装置を折り畳むという、キー操作ロック機能を有効にするためのイベント（ロック指示）が発生すると、直ちにキー操作ロック機能を有効にし、特許文献３に記載されている携帯端末装置は、キー操作が行われなくなってから所定時間が経過するという、キー操作ロック機能を有効にするためのイベント（ロック指示）が発生すると、直ちにキー操作ロック機能を有効にし、特許文献４に記載されている携帯端末装置は、音楽再生処理が開始されてから所定時間が経過するという、キー操作ロックを有効にするためのイベント（ロック指示）が発生すると、直ちに、キー操作ロックを有効にしている。即ち、従来の携帯端末装置は、ロック指示が発生すると無条件でキー操作ロック機能を働かせるものであった。このため、ロック指示が発生した時点の端末の状態によっては、ユーザにとって使い勝手が悪くなるという問題がある。例えば、音楽再生中や動画再生中などにロック指示が発生すると、直ちにキー操作ロック機能が有効になってしまい、それ以後、音量調整などを行うことができなくなってしまうからである。【０００６】
〔発明の目的〕
そこで、本発明の目的は、ロック指示が発生したとき、携帯端末装置の状態に応じてキー操作ロック機能を直ちに有効にするか否かを制御できる、ユーザにとって使い勝手の良い携帯端末装置を提供することにある。
【課題を解決するための手段】
【０００７】
本発明にかかる第１の携帯端末装置は、
ロック指示が発生したとき、自端末の状態が所定の条件を満たしているか否かを判定し、満たしている場合は、直ちにキー操作ロック機能を有効にし、満たしていない場合は、前記所定の条件が満たされるのを待って前記キー操作ロック機能を有効にするロック制御手段を備えたことを特徴とする。【０００８】
本発明にかかる第２の携帯端末装置は、第１の携帯端末装置において、
前記所定の条件が、特定のアプリケーションプログラムが起動されていないことであることを特徴とする。【０００９】
本発明にかかる第３の携帯端末装置は、第１の携帯端末装置において、
前記キー操作ロック機能が、受け付け可能なイベントを制限する機能であることを特徴とする。【００１０】
本発明にかかる第４の携帯端末装置は、第１の携帯端末装置において、
一定時間キー操作が行われなかったとき、前記ロック制御手段に対して前記ロック指示を発生するロック指示手段を備えたことを特徴とする。【００１１】
本発明にかかる第５の携帯端末装置は、第１の携帯端末装置において、
携帯端末装置の筐体が閉じられたとき、前記ロック制御手段に対して前記ロック指示を発生するロック指示手段を備えたことを特徴とする。【００１２】
本発明にかかる第６の携帯端末装置は、第１の携帯端末装置において、
筐体側面に設けられたロック解除キーと、
該ロック解除キーが操作されたとき、認証処理を行い、認証処理に成功した場合、キー操作ロック機能の解除を前記ロック制御手段に指示する認証手段を備えたことを特徴とする。【００１３】
本発明にかかる第１の携帯端末装置におけるキー操作ロック方法は、
ロック指示が発生したとき、自端末の状態が所定の条件を満たしているか否かを判定し、満たしている場合は、直ちにキー操作ロック機能を有効にし、満たしていない場合は、前記所定の条件が満たされるのを待って前記キー操作ロック機能を有効にすることを特徴とする。【００１４】
本発明にかかる第２の携帯端末装置におけるキー操作ロック方法は、第１の携帯端末装置におけるキー操作ロック方法において、
前記所定の条件が、特定のアプリケーションプログラムが起動されていないことであることを特徴とする。【００１５】
本発明にかかる第１のプログラムは、
コンピュータを、
ロック指示が発生したとき、携帯端末装置の状態が所定の条件を満たしているか否かを判定し、満たしている場合は、直ちにキー操作ロック機能を有効にし、満たしていない場合は、前記所定の条件が満たされるのを待って前記キー操作ロック機能を有効にするロック制御手段として機能させる。【００１６】
本発明にかかる第２のプログラムは、第１のプログラムにおいて、
前記所定の条件が、特定のアプリケーションプログラムが起動されていないことであることを特徴とする。【００１７】
〔作用〕
キーが一定時間操作されていない、筐体が閉じられた等のイベントを契機にしてロック指示が発生すると、ロック制御手段は、その時の自端末の状態が所定の条件を満たしている否かを判断する。上記所定の条件としては、特定のアプリケーションプログラムが動作中でない、携帯端末装置の状態が所定の状態でない等を設定することができる。そして、自端末の状態が所定の条件を満たしている場合には、直ちにキー操作ロック機能を有効にし、満たしていない場合は、上記所定の条件が満たされるのを待ってキー操作ロック機能を有効にする。キー操作ロック機能は、有効にされると、受け付け可能なイベントを制限する。
【発明の効果】
【００１８】
本発明によれば、携帯端末装置の使い勝手を向上させることができるという効果を得ることができる。その理由は、ロック指示が発生したとき、自端末の状態が所定の条件を満たしているか否かを判定し、満たしている場合には、直ちに、キー操作ロック機能を有効にし、満たしていない場合は、上記所定の条件が成立するのを待ってキー操作ロック機能を有効にするロック制御手段を備えているからである。例えば、上記所定の条件として音楽再生用のアプリケーションプログラムが動作していないという条件を設定しておけば、上記アプリケーションプログラムによって音楽再生中にロック指示が発生しても、キー操作ロック機能が有効にならないので、ユーザは、音量調整などを行うことができ、使い勝手が向上する。
【発明を実施するための最良の形態】
【００１９】
次に、発明を実施するための最良の形態について図面を参照して詳細に説明する。【００２０】
〔実施の形態の構成の説明〕
図１は本発明を適用する折り畳み形状構造を有する携帯電話装置１の一例の外観図である。同図を参照すると、携帯電話装置１は、第１の筐体１００と、第２の筐体２００とを備えており、両者はヒンジ部３００により回転可能に連結されている。第１の筐体１００には、アンテナ１０１と、受話部１０２と、ＬＣＤにより構成される表示部１０３とが設けられ、第２の筐体２００には、テンキーなどを含む前面キー操作部２０１と、送話部２０２とが設けられている。また、図１では図示されていないが、第２の筐体２００の側面には、ロック解除キー等を含む側面キー操作部２０３（図２参照）が設けられている。【００２１】
図２は、携帯電話装置１の構成例を示すブロック図であり、アンテナ１０１と、受話部１０２と、表示部１０３と、前面キー操作部２０１と、送話部２０２と、側面キー操作部２０３とを備えている。更に、携帯電話装置１は筐体内部に、ＣＰＵによって実現される制御部２と、変復調処理を行う無線処理部３と、音声に対する処理を行う音声処理部４と、カメラ５と、データに対する処理を行うデータ処理部１１と、筐体１００、２００の開閉状態を検出し、検出結果を制御部２に対して出力する開閉検出部６と、記憶部７と、装置各部に動作電圧を供給する電源部８と、非接触ＩＣカード１０に対してデータの読み書きを行うリーダ／ライタ９とを備えている。なお、非接触ＩＣカード１０には、携帯電話装置１のユーザを認証するためのユーザＩＤが登録されている。【００２２】
図３は、記憶部７の内容例を示す図である。同図を参照すると、記憶部７には、メイン条件記憶部７１と、サブ条件記憶部７２と、ロック中受け付け可能イベント記憶部７３とが設けられている。【００２３】
メイン条件記憶部７１には、ロック指示が発生しているか否かを判定するための条件であるメイン条件が登録されている。図３を参照すると、メイン条件記憶部７１には、複数のメイン条件と、そのメイン条件を有効にするか否かを示す有効フラグ（ＯＮで有効）とが登録されている。図３の例の場合、「筐体が閉じられている」というメイン条件に対する有効フラグも、「キー無操作時間が５分以上」というメイン条件に対する有効フラグもＯＮとなっているので、上記２つのメイン条件の内の何れか一方が成立すれば、ロック指示が発生していると判定することになる。なお、有効フラグは、ユーザによって変更可能であり、例えば、「筐体が閉じられている」というメイン条件に対する有効フラグをＯＮとし、「キー無操作時間が５分以上」というメイン条件に対する有効フラグをＯＦＦとするようにすることもできる。このようにした場合には、「筐体が閉じられている」というメイン条件が成立した場合のみ、ロック指示が発生していると判定することになる。また、キー無操作時間もユーザによって変更可能である。【００２４】
サブ条件記憶部７２には、携帯電話装置１の状態が、キー操作ロック機能を有効にしても良い状態になっているか否かを判定するための条件であるサブ条件が登録されている。図３を参照すると、サブ条件記憶部７２には、複数のサブ条件「ミュージックプレーヤ（アプリケーションプログラム）非動作中」、「動画プレーヤ（アプリケーションプログラム）非動作中」、…が登録されており、それらが全て成立した場合のみ、携帯電話装置１の状態が、キー操作ロック機能を有効にしても良い状態になっていると判定することになる。なお、サブ条件記憶部７２の内容は、図３の例に限られるものではなく、例えば、サブ条件として「着信状態でない」「通話状態でない」等を登録するようにしても良い。このようなサブ条件を登録した場合には、着信状態や通話状態においてロック指示が発生しても、携帯電話装置１の状態が「待ち受け状態」になるまで、キー操作ロック機能は有効にならない。【００２５】
ロック中受け付け可能イベント記憶部７３には、キー操作ロック機能が有効になった場合に受け付けることができるイベントが、携帯電話装置１の状態毎に登録されている。キー操作ロック機能が有効にされた後に受け付け可能なイベントは、キー操作ロック機能が有効にされる前と比較して制限されており、図３の例では、携帯電話装置１の状態が「待ち受け状態」のときは、受け付け可能なイベントが「着信」のみに制限されており、携帯電話装置１の状態が「着信状態」のときは、受け付け可能なイベントが「通話キー操作」のみに制限されており、「通話中状態」のときは、受け付け可能なイベントが「スピーカ切り替え操作」「終話キー操作」のみに制限されている。【００２６】
ここで、ロック中受け付け可能イベント記憶部７３の内容は、図３の例に限られるものではなく、例えば、「待ち受け状態」において受け付け可能なイベントとして「メール受信」を登録しておけば、キー操作ロック機能が有効になっている場合であっても、メールを受信することができる。また、受け付け可能なイベントとして、「メールの閲覧操作」を登録しておかなければ、メールの閲覧を禁止することができる。更に、各状態に受け付け可能なイベントとして、「アラーム通知」を登録しておけば、指定された時刻になったときに、アラーム表示などを行うことが可能になる。また、各状態に受け付け可能なイベントとして、「ＧＰＳ位置取得操作」を登録しておけば、キー操作ロック機能の制約を受けずに、現在位置を取得することができる。【００２７】
なお、図３では図示を省略したが、記憶部７には、キー操作ロックが有効になっていない場合に受け付けることができるイベントが、携帯電話装置１の状態毎に登録されている非ロック中受け付け可能イベント記憶部や、ユーザＩＤが登録されているユーザＩＤ記憶部も設けられている。【００２８】
図４は、制御部２の構成例を示すブロック図であり、キー操作検出手段２１と、タイマ２２と、ロック制御手段２３と、認証手段２４と、制御手段２５とを備えている。【００２９】
キー操作検出手段２１は、前面キー操作部２０１及び側面キー操作部２０３に設けられているキーが操作されたことを検出したとき、操作されたキーに対応するコードを制御手段２５に対して出力する機能を有する。更に、キー操作検出手段２１は、キー操作を検出する毎に、タイマ２２及びロック制御手段２３に対してリセット信号を出力する機能や、側面キー操作部２０３に設けられているロック解除キーが操作されたことを検出したとき、認証手段２４に対して認証処理開始を指示する機能を有する。【００３０】
タイマ２２は、キー操作検出手段２１からリセット信号が入力される毎にリセットされ、計測時間が、メイン条件記憶部７１に登録されている時間（図３の例では、５分）になると、ロック制御手段２３に対してタイムアウト信号を出力する。即ち、タイマ２２は、キー無操作時間が、メイン条件記憶部７１に登録されている時間となると、ロック制御手段２３に対してロック開始を指示するために、タイムアウト信号を出力する。【００３１】
認証手段２４は、キー操作検出手段２１から認証処理開始を指示されると、リーダ／ライタ９を利用して、ユーザが所持している非接触ＩＣカード１０からユーザＩＤを読み込み、この読み込んだユーザＩＤと記憶部７に登録されているユーザＩＤとを比較して本人認証を行う。そして、認証ＯＫの場合は、ロック制御手段２３に対してロック解除指示を出力する。【００３２】
ロック制御手段２３は、次のような機能を有する。【００３３】
・タイマ２２からタイムアウト信号が出力され、且つメイン条件記憶部７１に登録されているメイン条件「キー操作ロック無操作時間が５分以上」に対応する有効フラグがＯＮになっている場合、及び開閉検出部６からの検出結果が筐体が閉じられていることを示し、且つメイン条件記憶部７１に登録されている「筐体が閉じられている」に対する有効フラグがＯＮとなっている場合、ロック指示が発生していると判断する機能。【００３４】
・ロック指示が発生していると判断した場合は、サブ条件記憶部７２に登録されている全てのサブ条件が満たされているか否かを判定し、満たされている場合には、制御手段２５に対してキー操作ロック起動信号を出力し、満たされていない場合は、全てのサブ条件が成立するのを待って、制御手段２５に対してキー操作ロック起動信号を出力する機能。【００３５】
・認証手段２４からロック解除指示が入力されたとき、制御手段２５に対してキー操作ロック解除信号を出力する機能。【００３６】
制御手段２５は、ロック制御手段２３からキー操作ロック起動信号が入力されてからキー操作ロック解除信号が入力されるまでの間、即ちキー操作ロック機能が有効になっている間は、イベントが発生する毎に、ロック中受け付け可能イベント記憶部７３を参照し、発生したイベントが受け付け可能か否かを判定する。そして、受け付け可能と判断した場合は、イベントを受け付け、必要に応じて状態遷移する。【００３７】
制御部２は、コンピュータ（ＣＰＵ）によって実現可能であり、コンピュータによって実現する場合は、例えば、次のようにする。コンピュータをキー操作検出手段２１、タイマ２２、ロック制御手段２３、認証手段２４、制御手段２５として機能させるためのプログラムを記録したディスク、半導体メモリ、その他の記録媒体を用意し、コンピュータに上記プログラムを読み取らせる。コンピュータは、読み取ったプログラムに従って自身の動作を制御し、自コンピュータ上に、キー操作検出手段２１、タイマ２２、ロック制御手段２３、認証手段２４、制御手段２５を実現する。【００３８】
〔実施の形態の動作の説明〕
次に、本実施の形態の動作について詳細に説明する。【００３９】
〔キー操作ロック機能起動時の動作〕
先ず、キー操作ロック機能起動時の動作について説明する。制御部２内のロック制御手段２３には、携帯電話装置１のユーザが所定時間（図３の例では５分）、キー操作を行わなかった場合、タイマ２２からタイムアウト信号が入力され、また、ユーザが筐体を閉じた場合、開閉検出部６から筐体が閉じられたことを示す検出結果が入力される。【００４０】
ロック制御手段２３は、タイマ２２からタイムアウト信号が入力された場合、及び開閉検出部６から筐体が閉じられたことを示す検出結果が入力された場合、メイン条件記憶部７１に登録されている該当する有効フラグがＯＮになっていれば、メイン条件が成立した（ロック指示が発生した）と判断する（図５のステップＳ５１）。メイン条件記憶部７１の内容が、図３に示すものである場合は、ロック制御手段２３は、タイマ２２からタイムアウト信号が入力された場合も、開閉検出部６から筐体が閉じられたことを示す検出結果が入力された場合も、メイン条件が成立したと判断する。【００４１】
メイン条件が成立したと判断すると（ステップＳ５１がＹＥＳ）、ロック制御手段２３は、サブ条件が成立しているか否かを判断する（ステップＳ５２）。より具体的には、サブ条件記憶部７２を参照し、そこに登録されているサブ条件が全て成立している場合、サブ条件が成立していると判断する。例えば、サブ条件記憶部７２の内容が図３に示すものである場合は、アプリケーションプログラムである「ミュージックプレーヤ」が非動作中で、且つアプリケーションプログラムである「動作プレーヤ」が非動作中の場合、サブ条件が成立したと判断する。【００４２】
そして、サブ条件が成立したと判断した場合（ステップＳ５２がＹＥＳ）は、ロック制御手段２３は、制御手段２５に対してキー操作ロック起動信号を出力する（ステップＳ５３）。【００４３】
これに対して、サブ条件が成立していないと判断した場合（ステップＳ５２がＮＯ）は、キー操作ロック保留処理を行う。キー操作ロック保留処理では、サブ条件の成立を待ち、サブ条件が成立すると（ステップＳ５４がＹＥＳ）、制御手段２５に対してキー操作ロック起動信号を出力する（ステップＳ５３）。また、サブ条件が成立する前に、メイン条件が不成立になった場合（ステップＳ５５がＹＥＳ）は、ステップＳ５１の処理に戻り、メイン条件が成立するのを待つ。なお、メイン条件が不成立になったことは、キー操作検出手段２１から入力されるリセット信号に基づいて検出することができる。【００４４】
〔キー操作ロック機能が有効になっている場合の動作〕
次に、キー操作ロック機能が有効になっている場合の動作を説明する。制御手段２５は、携帯電話装置１の電源がＯＮにされると、図６のフローチャートに示す処理を開始し、初期状態（待ち受け状態）に遷移する（ステップＳ６１）。【００４５】
その後、制御手段２５は、着信、キー操作などのイベントが発生すると（ステップＳ６２がＹＥＳ）、そのイベントを受け付けることができるか否かを判定する（ステップＳ６３）。ここで、制御手段２５は、キー操作ロック機能が有効な間は、ロック中受け付け可能イベント記憶部７３を参照して、イベントが受け付け可能か否かを判定し、キー操作ロック機能が有効になっていない間は、図示を省略した非ロック中受け付け可能イベント記憶部を参照して、イベントが受け付け可能か否かを判断する。【００４６】
そして、受け付け可能と判断した場合（ステップＳ６３がＹＥＳ）は、イベントを受け付け、必要に応じて状態遷移を行った後（ステップＳ６４）、ステップＳ６２に戻り、新たなイベントの発生を待つ。これに対して、受け付け不可能と判断した場合（ステップＳ６３がＮＯ）は、ステップＳ６２に戻り、新たなイベントの発生を待つ。【００４７】
〔キー操作ロック機能解除時の動作〕
次に、キー操作ロック機能の解除時の動作について説明する。キー操作ロック機能を解除する場合、ユーザは、自身のユーザＩＤが記録されている非接触ＩＣカード１０を携帯電話装置１に近づけ、その後、側面キー操作部２０３に設けられているロック解除キーを操作する。制御部２内のキー操作検出手段２１は、ロック解除キーが操作されたことを検出すると、認証手段２４に対して認証処理開始を指示する。【００４８】
これにより、認証手段２４は、図７のフローチャートに示すように、リーダ／ライタ９を利用して、非接触ＩＣカード１０からユーザＩＤを入力し（ステップＳ７１）、入力したユーザＩＤと記憶部７に登録されているユーザＩＤとを比較することにより、本人認証を行う（ステップＳ７２）。そして、認証ＯＫの場合（ステップＳ７３がＹＥＳ）は、制御手段２５に対してキー操作ロック解除信号を出力し（ステップＳ７４）、認証ＮＧの場合（ステップＳ７３がＮＯ）は、その処理を終了する。なお、本実施の形態では、非接触ＩＣカード１０に登録されているユーザＩＤに基づいて本人認証を行うようにしたが、ロック解除キーが操作されたとき、カメラ１１によりユーザの顔画像を撮影し、この顔画像と予め記憶部７に登録しておいたユーザの顔画像とに基づいて本人認証を行うようにしても良い。【００４９】
次に、具体例を挙げて本実施の形態の動作について説明する。【００５０】
今、図８に示すように、時刻ｔ１において、ユーザが音楽再生するためのアプリケーションプログラムであるミュージックプレーヤを起動したとする。ユーザが時刻ｔ１において、ミュージックプレーヤを起動するためのキー操作を行うと、そのことがキー操作検出手段２１で検出され、タイマ２２にリセット信号が印加される。タイマ２２は、リセット信号が印加されると、カウント動作を開始する。そして、時刻ｔ２において計測時間がメイン条件記憶部７１に登録されている時間（５分とする）になると、タイマ２２は、ロック制御手段２３に対してタイムアウト信号を出力する。【００５１】
ロック制御手段２３は、時刻ｔ２において、タイマ２２からタイムアウト信号が印加されると、図５のフローチャートに示すように、メイン条件が成立したか否かを判断する（ステップＳ５１）。今、メイン条件記憶部７１の該当する有効フラグがＯＮになっているとすると、ロック制御手段２３は、メイン条件が成立したと判断する。その後、ロック制御手段２３は、サブ条件記憶部７２を参照し、サブ条件が成立しているか否かを判断する（ステップＳ５２）。今、サブ条件記憶部７２に、「ミュージックプレーヤ非動作中」というサブ条件が登録されているとすると、ロック制御手段２３は、サブ条件が成立していないと判断し（ステップＳ５２がＮＯ）、キー操作ロック保留処理を行う（ステップＳ５４、Ｓ５５）。従って、この時点では、まだ、キー操作ロック機能が起動されていない。【００５２】
その後、時刻ｔ３において、ユーザが音量を変更するためにキー操作を行うと、この時点では、キー操作ロック機能が有効になっていないので、音量が変更される。また、キー操作検出手段２１により、上記キー操作が検出され、タイマ２２及びロック制御手段２３にリセット信号が印加される。これにより、ロック制御手段２３は、メイン条件が不成立になったと判断し（ステップＳ５５がＮＯ）、ステップＳ５１の処理に戻る。また、タイマ２２は、カウント動作を開始し、時刻ｔ４において、計測時間が５分となると、ロック制御手段２３に対してタイムアウト信号を出力する。これにより、ロック制御手段２３は、メイン条件が成立したと判断し（図５のステップＳ５１）、その後、サブ条件が成立したか否かを判断する（ステップＳ５２）。この時点でも、ミュージックプレーヤが動作しているので、ロック制御手段２３は、サブ条件が成立していないと判断し（ステップＳ５２がＮＯ）、キー操作ロック保留処理を行う（ステップＳ５４、Ｓ５５）。そして、時刻
ｔ５において音楽再生が終了し、ミュージックプレーヤが停止すると、ロック制御手段２３は、サブ条件が成立したと判断し（ステップＳ５４がＹＥＳ）、制御手段２５に対してキー操作ロック信号を出力する（ステップＳ５３）。これ以後、キー操作ロック機能は有効になる。【００５３】
この図８に示した例においては、メイン条件が成立しても（ロック指示が発生しても）、ミュージックプレーヤというアプリケーションプログラムが動作していたら、キー操作ロック機能を有効にしないので、ロック指示が発生した後も、音量変更などを行うことが可能になり、使い勝手が向上する。【００５４】
次に、図９を参照して別の具体例について説明する。時刻ｔ１１において、タイマ２２がカウント動作を開始し、その１分後の時刻ｔ１２において着信があり、更に、その１分後の時刻ｔ１３においてユーザが通話キーを操作したとする。ユーザが時刻ｔ１３において、通話キーを操作すると、キー操作検出手段２１がそのことを検出し、タイマ２２に対してリセット信号を出力する。これにより、タイマ２２はカウントを開始し、時刻ｔ１４において計測時間がメイン条件記憶部７１に登録されている時間（５分とする）になると、ロック制御手段２３に対してタイムアウト信号を出力する。【００５５】
ロック制御手段２３は、時刻ｔ１４においてタイマ２２からタイムアウト信号が入力されると、図５のフローチャートに示すように、メイン条件が成立したか否かを判断する（ステップＳ５１）。今、メイン条件記憶部７１の該当する有効フラグがＯＮになっているとすると、ロック制御手段２３は、メイン条件が成立したと判断する。その後、ロック制御手段２３は、サブ条件記憶部７２を参照し、サブ条件が成立しているか否かを判断する（ステップＳ５２）。今、サブ条件記憶部７２に、「着信状態でない」「通話状態でない」というサブ条件が登録されているとすると、ロック制御手段２３は、サブ条件が成立していないと判断し（ステップＳ５２がＮＯ）、キー操作ロック保留処理を行う（ステップＳ５４、Ｓ５５）。従って、この時点では、まだ、キー操作ロック機能が起動されていない。【００５６】
その後、時刻ｔ１５において通話が終了すると、ロック制御手段２３は、サブ条件が成立したと判断し（ステップＳ５４がＹＥＳ）、制御手段２５に対してキー操作ロック起動信号を出力する（ステップＳ５３）。また、通話が終了することにより、携帯電話装置１の状態は待ち受け状態となる。その後、キー操作ロック機能が有効になっており、且つ状態が「待ち受け状態」になっている時刻ｔ１６において、「着信」というイベントが発生すると（図６のステップＳ６２がＹＥＳ）、制御手段２５は、ロック中受け付け可能イベント記憶部７３を参照し、イベント「着信」の受け付けが許可されているか否かを判断する（ステップＳ６３）。今、ロック中受け付け可能イベント記憶部７３に、状態「待ち受け状態」に対応付けて「着信」が登録されているとすると、制御手段２５は、イベント「着信」を受け付け、「着信状態」に遷移する（ステップＳ６４）。【００５７】
この図９に示した例においては、キー操作ロック機能が有効になった後も、着信が受け付けられるため、使い勝手が向上する。【００５８】
〔実施の形態の効果〕
本実施の形態によれば、携帯電話装置の使い勝手を向上させることができるという効果を得ることができる。その理由は、ロック指示が発生したとき、自端末の状態が所定の条件を満たしているか否かを判定し、満たしている場合には、直ちに、キー操作ロック機能を有効にし、満たしていない場合は、上記所定の条件が成立するのを待ってキー操作ロック機能を有効にするロック制御手段２３を備えているからである。例えば、上記所定の条件として音楽再生用のアプリケーションプログラムが動作していないという条件を設定しておけば、音楽再生中にロック指示が発生しても、キー操作ロック機能が有効にならないので、ユーザは、音量調整などを行うことができ、使い勝手が向上する。【００５９】
また、本実施の形態は、一定時間キー操作が行われなかったとき、ロック制御手段２３に対してロック指示を発生するロック指示手段（タイマ２２）を備えているので、ロックのかけ忘れを無くすことができるという効果を得ることができる。【００６０】
更に、本実施の形態は、筐体側面に設けられたロック解除キーと、ロック解除キーが操作されたとき、認証処理を行い、認証処理に成功した場合、キー操作ロック機能の解除をロック制御手段２３に指示する認証手段２４とを備えているので、筐体を閉じたまま、キー操作ロック機能を解除することができ、操作性が向上する。
【産業上の利用可能性】
【００６１】
本発明は、キー操作ロック機能を有する携帯電話装置、ＰＨＳ等の携帯端末装置に適用でき、本発明を適用することにより、携帯端末装置の使い勝手を良くすることができる。【００６２】
この出願は、２００６年９月２８日に出願された日本出願特願２００６−２６３９２５を基礎とする優先権を主張し、その開示の全てをここに取り込む。
【図面の簡単な説明】
【００６３】
【図１】本発明を適用する折り畳み形状構造を有する携帯電話装置１の一例の外観図である。
【図２】携帯電話装置１の構成例を示すブロック図である。
【図３】記憶部７の内容例を示す図である。
【図４】制御部２の構成例を示す図である。
【図５】ロック制御手段２３の処理例を示すフローチャートである。
【図６】制御手段２５の処理例を示すフローチャートである。
【図７】認証手段２４の処理例を示すフローチャートである。
【図８】音楽再生中にロック指示が発生した場合（タイマ２２がタイムアウトした場合）の動作を説明するための図である。
【図９】キー操作ロック機能が有効になっているときに、着信があった場合の動作を説明するための図である。
【符号の説明】
【００６４】
１    携帯電話装置
２    制御部
２１    キー操作検出手段
２２    タイマ
２３    ロック制御手段
２４    認証手段
２５    制御手段
３    無線処理部
４    音声処理部
５    カメラ
６    開閉検出部
７    記憶部
７１    メイン条件記憶部
７２    サブ条件記憶部
７３    ロック中受け付け可能イベント記憶部
８    電源部
９    リーダ／ライタ
１０    非接触ＩＣカード
１１    データ処理部
１００    第１の筐体
１０１    アンテナ
１０２    受話部
１０３    表示部
２００    第２の筐体
２０１    前面キー操作部
２０２    送話部
２０３    側面キー操作部
３００    ヒンジ部
【図１】
2008038515.tif 000003
【図２】
2008038515.tif 000004
【図３】
2008038515.tif 000005
【図４】
2008038515.tif 000006
【図５】
2008038515.tif 000007
【図６】
2008038515.tif 000008
【図７】
2008038515.tif 000009
【図８】
2008038515.tif 000010
【図９】
2008038515.tif 000011
【手続補正書】
【提出日】平成20年12月19日(2008.12.19)
【手続補正１】
【補正対象書類名】特許請求の範囲
【補正対象項目名】全文
【補正方法】変更
【補正の内容】
【特許請求の範囲】
【請求項１】
携帯端末装置であって、キー操作ロック指示が発生し、前記携帯端末装置の状態が所定の条件を満たしている場合に、キー操作ロック機能を有効にするロック制御手段と、非接触ＩＣ読み取り手段と、を備え、
前記ロック制御手段は、キー操作ロック機能が有効であり、前記非接触ＩＣ読み取り手段が所定の非接触ＩＣを読み取った場合、前記キー操作ロック機能を解除することを特徴とする携帯端末装置。
【請求項２】
請求項１記載の携帯端末装置において、
前記ロック制御手段は、キー操作ロック指示が発生し、自端末の状態が所定の条件を満たしていない場合は、キー操作ロック機能を有効にしないことを特徴とする携帯端末装置。
【請求項３】
請求項１又は２記載の携帯端末装置において、
前記所定の条件は、特定のプログラムが起動されていないことであることを特徴とする携帯端末装置。
【請求項４】
請求項１から３のいずれか１項に記載の携帯端末装置において、
前記キー操作ロック機能は、受け付けるイベントを制限する機能であることを特徴とする携帯端末装置。
【請求項５】
請求項４記載の携帯端末装置において、
前記キー操作ロック機能は、キー操作ロックを解除するためのイベントを制限しないことを特徴とする携帯端末装置。
【請求項６】
請求項１から５のいずれか１項に記載の携帯端末装置において、
一定時間キー操作が行われなかったとき、前記ロック制御手段に対して前記ロック指示を発生するロック指示手段を備えたことを特徴とする携帯端末装置。
【請求項７】
請求項から５のいずれか１項に記載の携帯端末装置において、
携帯端末装置の筐体は開閉可能であり、前記筺体が閉じられたとき、前記ロック制御手段に対して前記ロック指示を発生するロック指示手段を備えたことを特徴とする携帯端末装置。
【請求項８】
キー操作ロック指示が発生し、携帯端末装置の状態が所定の条件を満たしている場合に、キー操作ロック機能を有効にするロック制御ステップと、非接触ＩＣ読み取りステップと、を有し、
前記ロック制御ステップは、キー操作ロック機能が有効であり、前記非接触ＩＣ読み取りステップで所定の非接触ＩＣが読み取られた場合、前記キー操作ロック機能を解除することを特徴とする携帯端末装置におけるキー操作ロック方法。
【請求項９】
請求項８記載の携帯端末装置において、
前記ロック制御ステップは、キー操作ロック指示が発生し、自端末の状態が所定の条件を満たしていない場合は、キー操作ロック機能を有効にしないことを特徴とする携帯端末装置におけるキー操作ロック方法。
【請求項１０】
請求項８又は９記載の携帯端末装置におけるキー操作ロック方法において、
前記所定の条件は、特定のプログラムが起動されていないことであることを特徴とする携帯端末装置におけるキー操作ロック方法。
【請求項１１】
コンピュータに、
キー操作ロック指示が発生し、携帯端末装置の状態が所定の条件を満たしている場合に、キー操作ロック機能を有効にするロック制御処理ステップと、非接触ＩＣ読み取りステップと、を実行させ、
前記ロック制御ステップは、キー操作ロック機能が有効であり、前記非接触ＩＣ読み取りステップで所定の非接触ＩＣが読み取られた場合、前記キー操作ロック機能を解除することを特徴とするプログラム。
【請求項１２】
請求項１１記載のプログラムにおいて、
前記ロック制御ステップは、キー操作ロック指示が発生し、自端末の状態が所定の条件を満たしていない場合は、キー操作ロック機能を有効にしないことを特徴とするプログラム。
【請求項１３】
請求項１１又は１２記載のプログラムにおいて、
前記所定の条件は、特定のプログラムが起動されていないことであることを特徴とするプログラム。
【手続補正２】
【補正対象書類名】明細書
【補正対象項目名】全文
【補正方法】変更
【補正の内容】
【発明の詳細な説明】
【技術分野】
【０００１】
本発明は、キー操作ロック機能を有する携帯電話装置やＰＨＳ(Personal Handyphone System)等の携帯端末装置に関し、特に、ロック指示が発生したとき、携帯端末装置の状態に応じて直ちにキー操作ロック機能を有効にするか否かを制御できるようにすることにより使い勝手を向上させた携帯端末装置に関する。
【背景技術】
【０００２】
従来から携帯電話装置などの携帯端末装置においては、他人の不正利用、電話帳やメールなどの秘密データの漏洩、鞄やポケットに入れて持ち運ぶ際に発生する恐れがあるキーの誤操作などを防止するために、キー操作ロック機能が設けられている。
【０００３】
ところで、キー操作ロック機能を有する従来の一般的な携帯端末装置は、ユーザがキー操作ロック機能を有効にするための特別なキー操作を行ったとき、キー操作ロック機能を有効にするが、これ以外にも、携帯端末装置が折り畳まれたことを契機にしてキー操作ロック機能を有効にする携帯端末装置（例えば、特許文献１、２参照）や、キー操作がされなくなってから所定時間が経過したとき、キー操作ロック機能を有効にする携帯端末装置（例えば、特許文献３参照）や、音楽再生処理を開始してから所定時間後にキー操作ロック機能を有効にする携帯端末装置（例えば、特許文献４参照）も従来から知られている。
【０００４】
【特許文献１】特開平９−２６６５０２号公報
【特許文献２】特開２００１−２１７９２４号公報
【特許文献３】特開２００１−３２０４７７号公報
【特許文献４】特開２００５−１６７４５５号公報
【発明の開示】
【発明が解決しようとする課題】
【０００５】
上述した特許文献１〜４に記載されている携帯端末装置によれば、ユーザが特別なキー操作を行わなくとも、キー操作ロック機能を有効にすることができるので、キー操作ロックの設定し忘れを減少あるいは無くすことができる。
【０００６】
しかしながら、特許文献１、２に記載されている携帯端末装置は、携帯端末装置を折り畳むという、キー操作ロック機能を有効にするためのイベント（ロック指示）が発生すると、直ちにキー操作ロック機能を有効にし、特許文献３に記載されている携帯端末装置は、キー操作が行われなくなってから所定時間が経過するという、キー操作ロック機能を有効にするためのイベント（ロック指示）が発生すると、直ちにキー操作ロック機能を有効にし、特許文献４に記載されている携帯端末装置は、音楽再生処理が開始されてから所定時間が経過するという、キー操作ロックを有効にするためのイベント（ロック指示）が発生すると、直ちに、キー操作ロックを有効にしている。即ち、従来の携帯端末装置は、ロック指示が発生すると無条件でキー操作ロック機能を働かせるものであった。このため、ロック指示が発生した時点の端末の状態によっては、ユーザにとって使い勝手が悪くなるという問題がある。例えば、音楽再生中や動画再生中などにロック指示が発生すると、直ちにキー操作ロック機能が有効になってしまい、それ以後、音量調整などを行うことができなくなってしまうからである。
【０００７】
〔発明の目的〕
そこで、本発明の目的は、ロック指示が発生したとき、携帯端末装置の状態に応じてキー操作ロック機能を直ちに有効にするか否かを制御できる、ユーザにとって使い勝手の良い携帯端末装置を提供することにある。
【課題を解決するための手段】
【０００８】
本発明にかかる第１の携帯端末装置は、
携帯端末装置であって、キー操作ロック指示が発生し、前記携帯端末装置の状態が所定の条件を満たしている場合に、キー操作ロック機能を有効にするロック制御手段と、非接触ＩＣ読み取り手段と、を備え、
前記ロック制御手段は、キー操作ロック機能が有効であり、前記非接触ＩＣ読み取り手段が所定の非接触ＩＣを読み取った場合、前記キー操作ロック機能を解除することを特徴とする。
【０００９】
本発明にかかる第２の携帯端末装置は、第１の携帯端末装置において、
前記ロック制御手段は、キー操作ロック指示が発生し、自端末の状態が所定の条件を満たしていない場合は、キー操作ロック機能を有効にしないことを特徴とする。
【００１０】
本発明にかかる第３の携帯端末装置は、第１又は２の携帯端末装置において、
前記所定の条件は、特定のプログラムが起動されていないことであることを特徴とする。
【００１１】
本発明にかかる第４の携帯端末装置は、第１から３のいずれかの携帯端末装置において、
前記キー操作ロック機能は、受け付けるイベントを制限する機能であることを特徴とする。
【００１２】
本発明にかかる第５の携帯端末装置は、第４の携帯端末装置において、
前記キー操作ロック機能は、キー操作ロックを解除するためのイベントを制限しないことを特徴とする携帯端末装置。
【００１３】
本発明にかかる第６の携帯端末装置は、第１から５のいずれかの携帯端末装置において、
一定時間キー操作が行われなかったとき、前記ロック制御手段に対して前記ロック指示を発生するロック指示手段を備えたことを特徴とする。
【００１４】
本発明にかかる第７の携帯端末装置は、第１の携帯端末装置において、
携帯端末装置の筐体は開閉可能であり、前記筺体が閉じられたとき、前記ロック制御手段に対して前記ロック指示を発生するロック指示手段を備えたことを特徴とする。
【００１５】
本発明にかかる第１の携帯端末装置におけるキー操作ロック方法は、
キー操作ロック指示が発生し、携帯端末装置の状態が所定の条件を満たしている場合に、キー操作ロック機能を有効にするロック制御ステップと、非接触ＩＣ読み取りステップと、を有し、
前記ロック制御ステップは、キー操作ロック機能が有効であり、前記非接触ＩＣ読み取りステップで所定の非接触ＩＣが読み取られた場合、前記キー操作ロック機能を解除することを特徴とする。
【００１６】
本発明にかかる第２の携帯端末装置におけるキー操作ロック方法は、第１の携帯端末装置におけるキー操作ロック方法において、
前記ロック制御ステップは、キー操作ロック指示が発生し、自端末の状態が所定の条件を満たしていない場合は、キー操作ロック機能を有効にしないことを特徴とする。
【００１７】
本発明にかかる第３の携帯端末装置におけるキー操作ロック方法は、第１又は２の携帯端末装置におけるキー操作ロック方法において、
前記所定の条件は、特定のプログラムが起動されていないことであることを特徴とする。
【００１８】
本発明にかかる第１のプログラムは、
コンピュータに、
キー操作ロック指示が発生し、携帯端末装置の状態が所定の条件を満たしている場合に、キー操作ロック機能を有効にするロック制御処理ステップと、非接触ＩＣ読み取りステップと、を実行させ、
前記ロック制御ステップは、キー操作ロック機能が有効であり、前記非接触ＩＣ読み取りステップで所定の非接触ＩＣが読み取られた場合、前記キー操作ロック機能を解除することを特徴とする。
【００１９】
本発明にかかる第２のプログラムは、第１のプログラムにおいて、
前記ロック制御ステップは、キー操作ロック指示が発生し、自端末の状態が所定の条件を満たしていない場合は、キー操作ロック機能を有効にしないことを特徴とする。
【００２０】
本発明にかかる第３のプログラムは、第１又は２のプログラムにおいて、
前記所定の条件は、特定のプログラムが起動されていないことであることを特徴とする。
【００２１】
〔作用〕
キーが一定時間操作されていない、筐体が閉じられた等のイベントを契機にしてロック指示が発生すると、ロック制御手段は、その時の自端末の状態が所定の条件を満たしている否かを判断する。上記所定の条件としては、特定のアプリケーションプログラムが動作中でない、携帯端末装置の状態が所定の状態でない等を設定することができる。そして、自端末の状態が所定の条件を満たしている場合には、直ちにキー操作ロック機能を有効にし、満たしていない場合は、上記所定の条件が満たされるのを待ってキー操作ロック機能を有効にする。キー操作ロック機能は、有効にされると、受け付け可能なイベントを制限する。
【発明の効果】
【００２２】
本発明によれば、携帯端末装置の使い勝手を向上させることができるという効果を得ることができる。その理由は、ロック指示が発生したとき、自端末の状態が所定の条件を満たしているか否かを判定し、満たしている場合には、直ちに、キー操作ロック機能を有効にし、満たしていない場合は、上記所定の条件が成立するのを待ってキー操作ロック機能を有効にするロック制御手段を備えているからである。例えば、上記所定の条件として音楽再生用のアプリケーションプログラムが動作していないという条件を設定しておけば、上記アプリケーションプログラムによって音楽再生中にロック指示が発生しても、キー操作ロック機能が有効にならないので、ユーザは、音量調整などを行うことができ、使い勝手が向上する。
【発明を実施するための最良の形態】
【００２３】
次に、発明を実施するための最良の形態について図面を参照して詳細に説明する。
【００２４】
〔実施の形態の構成の説明〕
図１は本発明を適用する折り畳み形状構造を有する携帯電話装置１の一例の外観図である。同図を参照すると、携帯電話装置１は、第１の筐体１００と、第２の筐体２００とを備えており、両者はヒンジ部３００により回転可能に連結されている。第１の筐体１００には、アンテナ１０１と、受話部１０２と、ＬＣＤにより構成される表示部１０３とが設けられ、第２の筐体２００には、テンキーなどを含む前面キー操作部２０１と、送話部２０２とが設けられている。また、図１では図示されていないが、第２の筐体２００の側面には、ロック解除キー等を含む側面キー操作部２０３（図２参照）が設けられている。
【００２５】
図２は、携帯電話装置１の構成例を示すブロック図であり、アンテナ１０１と、受話部１０２と、表示部１０３と、前面キー操作部２０１と、送話部２０２と、側面キー操作部２０３とを備えている。更に、携帯電話装置１は筐体内部に、ＣＰＵによって実現される制御部２と、変復調処理を行う無線処理部３と、音声に対する処理を行う音声処理部４と、カメラ５と、データに対する処理を行うデータ処理部１１と、筐体１００、２００の開閉状態を検出し、検出結果を制御部２に対して出力する開閉検出部６と、記憶部７と、装置各部に動作電圧を供給する電源部８と、非接触ＩＣカード１０に対してデータの読み書きを行うリーダ／ライタ９とを備えている。なお、非接触ＩＣカード１０には、携帯電話装置１のユーザを認証するためのユーザＩＤが登録されている。
【００２６】
図３は、記憶部７の内容例を示す図である。同図を参照すると、記憶部７には、メイン条件記憶部７１と、サブ条件記憶部７２と、ロック中受け付け可能イベント記憶部７３とが設けられている。
【００２７】
メイン条件記憶部７１には、ロック指示が発生しているか否かを判定するための条件であるメイン条件が登録されている。図３を参照すると、メイン条件記憶部７１には、複数のメイン条件と、そのメイン条件を有効にするか否かを示す有効フラグ（ＯＮで有効）とが登録されている。図３の例の場合、「筐体が閉じられている」というメイン条件に対する有効フラグも、「キー無操作時間が５分以上」というメイン条件に対する有効フラグもＯＮとなっているので、上記２つのメイン条件の内の何れか一方が成立すれば、ロック指示が発生していると判定することになる。なお、有効フラグは、ユーザによって変更可能であり、例えば、「筐体が閉じられている」というメイン条件に対する有効フラグをＯＮとし、「キー無操作時間が５分以上」というメイン条件に対する有効フラグをＯＦＦとするようにすることもできる。このようにした場合には、「筐体が閉じられている」というメイン条件が成立した場合のみ、ロック指示が発生していると判定することになる。また、キー無操作時間もユーザによって変更可能である。
【００２８】
サブ条件記憶部７２には、携帯電話装置１の状態が、キー操作ロック機能を有効にしても良い状態になっているか否かを判定するための条件であるサブ条件が登録されている。図３を参照すると、サブ条件記憶部７２には、複数のサブ条件「ミュージックプレーヤ（アプリケーションプログラム）非動作中」、「動画プレーヤ（アプリケーションプログラム）非動作中」、…が登録されており、それらが全て成立した場合のみ、携帯電話装置１の状態が、キー操作ロック機能を有効にしても良い状態になっていると判定することになる。なお、サブ条件記憶部７２の内容は、図３の例に限られるものではなく、例えば、サブ条件として「着信状態でない」「通話状態でない」等を登録するようにしても良い。このようなサブ条件を登録した場合には、着信状態や通話状態においてロック指示が発生しても、携帯電話装置１の状態が「待ち受け状態」になるまで、キー操作ロック機能は有効にならない。
【００２９】
ロック中受け付け可能イベント記憶部７３には、キー操作ロック機能が有効になった場合に受け付けることができるイベントが、携帯電話装置１の状態毎に登録されている。キー操作ロック機能が有効にされた後に受け付け可能なイベントは、キー操作ロック機能が有効にされる前と比較して制限されており、図３の例では、携帯電話装置１の状態が「待ち受け状態」のときは、受け付け可能なイベントが「着信」のみに制限されており、携帯電話装置１の状態が「着信状態」のときは、受け付け可能なイベントが「通話キー操作」のみに制限されており、「通話中状態」のときは、受け付け可能なイベントが「スピーカ切り替え操作」「終話キー操作」のみに制限されている。
【００３０】
ここで、ロック中受け付け可能イベント記憶部７３の内容は、図３の例に限られるものではなく、例えば、「待ち受け状態」において受け付け可能なイベントとして「メール受信」を登録しておけば、キー操作ロック機能が有効になっている場合であっても、メールを受信することができる。また、受け付け可能なイベントとして、「メールの閲覧操作」を登録しておかなければ、メールの閲覧を禁止することができる。更に、各状態に受け付け可能なイベントとして、「アラーム通知」を登録しておけば、指定された時刻になったときに、アラーム表示などを行うことが可能になる。また、各状態に受け付け可能なイベントとして、「ＧＰＳ位置取得操作」を登録しておけば、キー操作ロック機能の制約を受けずに、現在位置を取得することができる。
【００３１】
なお、図３では図示を省略したが、記憶部７には、キー操作ロックが有効になっていない場合に受け付けることができるイベントが、携帯電話装置１の状態毎に登録されている非ロック中受け付け可能イベント記憶部や、ユーザＩＤが登録されているユーザＩＤ記憶部も設けられている。
【００３２】
図４は、制御部２の構成例を示すブロック図であり、キー操作検出手段２１と、タイマ２２と、ロック制御手段２３と、認証手段２４と、制御手段２５とを備えている。
【００３３】
キー操作検出手段２１は、前面キー操作部２０１及び側面キー操作部２０３に設けられているキーが操作されたことを検出したとき、操作されたキーに対応するコードを制御手段２５に対して出力する機能を有する。更に、キー操作検出手段２１は、キー操作を検出する毎に、タイマ２２及びロック制御手段２３に対してリセット信号を出力する機能や、側面キー操作部２０３に設けられているロック解除キーが操作されたことを検出したとき、認証手段２４に対して認証処理開始を指示する機能を有する。
【００３４】
タイマ２２は、キー操作検出手段２１からリセット信号が入力される毎にリセットされ、計測時間が、メイン条件記憶部７１に登録されている時間（図３の例では、５分）になると、ロック制御手段２３に対してタイムアウト信号を出力する。即ち、タイマ２２は、キー無操作時間が、メイン条件記憶部７１に登録されている時間となると、ロック制御手段２３に対してロック開始を指示するために、タイムアウト信号を出力する。
【００３５】
認証手段２４は、キー操作検出手段２１から認証処理開始を指示されると、リーダ／ライタ９を利用して、ユーザが所持している非接触ＩＣカード１０からユーザＩＤを読み込み、この読み込んだユーザＩＤと記憶部７に登録されているユーザＩＤとを比較して本人認証を行う。そして、認証ＯＫの場合は、ロック制御手段２３に対してロック解除指示を出力する。
【００３６】
ロック制御手段２３は、次のような機能を有する。
【００３７】
・タイマ２２からタイムアウト信号が出力され、且つメイン条件記憶部７１に登録されているメイン条件「キー操作ロック無操作時間が５分以上」に対応する有効フラグがＯＮになっている場合、及び開閉検出部６からの検出結果が筐体が閉じられていることを示し、且つメイン条件記憶部７１に登録されている「筐体が閉じられている」に対する有効フラグがＯＮとなっている場合、ロック指示が発生していると判断する機能。
【００３８】
・ロック指示が発生していると判断した場合は、サブ条件記憶部７２に登録されている全てのサブ条件が満たされているか否かを判定し、満たされている場合には、制御手段２５に対してキー操作ロック起動信号を出力し、満たされていない場合は、全てのサブ条件が成立するのを待って、制御手段２５に対してキー操作ロック起動信号を出力する機能。
【００３９】
・認証手段２４からロック解除指示が入力されたとき、制御手段２５に対してキー操作ロック解除信号を出力する機能。
【００４０】
制御手段２５は、ロック制御手段２３からキー操作ロック起動信号が入力されてからキー操作ロック解除信号が入力されるまでの間、即ちキー操作ロック機能が有効になっている間は、イベントが発生する毎に、ロック中受け付け可能イベント記憶部７３を参照し、発生したイベントが受け付け可能か否かを判定する。そして、受け付け可能と判断した場合は、イベントを受け付け、必要に応じて状態遷移する。
【００４１】
制御部２は、コンピュータ（ＣＰＵ）によって実現可能であり、コンピュータによって実現する場合は、例えば、次のようにする。コンピュータをキー操作検出手段２１、タイマ２２、ロック制御手段２３、認証手段２４、制御手段２５として機能させるためのプログラムを記録したディスク、半導体メモリ、その他の記録媒体を用意し、コンピュータに上記プログラムを読み取らせる。コンピュータは、読み取ったプログラムに従って自身の動作を制御し、自コンピュータ上に、キー操作検出手段２１、タイマ２２、ロック制御手段２３、認証手段２４、制御手段２５を実現する。
【００４２】
〔実施の形態の動作の説明〕
次に、本実施の形態の動作について詳細に説明する。
【００４３】
〔キー操作ロック機能起動時の動作〕
先ず、キー操作ロック機能起動時の動作について説明する。制御部２内のロック制御手段２３には、携帯電話装置１のユーザが所定時間（図３の例では５分）、キー操作を行わなかった場合、タイマ２２からタイムアウト信号が入力され、また、ユーザが筐体を閉じた場合、開閉検出部６から筐体が閉じられたことを示す検出結果が入力される。
【００４４】
ロック制御手段２３は、タイマ２２からタイムアウト信号が入力された場合、及び開閉検出部６から筐体が閉じられたことを示す検出結果が入力された場合、メイン条件記憶部７１に登録されている該当する有効フラグがＯＮになっていれば、メイン条件が成立した（ロック指示が発生した）と判断する（図５のステップＳ５１）。メイン条件記憶部７１の内容が、図３に示すものである場合は、ロック制御手段２３は、タイマ２２からタイムアウト信号が入力された場合も、開閉検出部６から筐体が閉じられたことを示す検出結果が入力された場合も、メイン条件が成立したと判断する。
【００４５】
メイン条件が成立したと判断すると（ステップＳ５１がＹＥＳ）、ロック制御手段２３は、サブ条件が成立しているか否かを判断する（ステップＳ５２）。より具体的には、サブ条件記憶部７２を参照し、そこに登録されているサブ条件が全て成立している場合、サブ条件が成立していると判断する。例えば、サブ条件記憶部７２の内容が図３に示すものである場合は、アプリケーションプログラムである「ミュージックプレーヤ」が非動作中で、且つアプリケーションプログラムである「動作プレーヤ」が非動作中の場合、サブ条件が成立したと判断する。
【００４６】
そして、サブ条件が成立したと判断した場合（ステップＳ５２がＹＥＳ）は、ロック制御手段２３は、制御手段２５に対してキー操作ロック起動信号を出力する（ステップＳ５３）。
【００４７】
これに対して、サブ条件が成立していないと判断した場合（ステップＳ５２がＮＯ）は、キー操作ロック保留処理を行う。キー操作ロック保留処理では、サブ条件の成立を待ち、サブ条件が成立すると（ステップＳ５４がＹＥＳ）、制御手段２５に対してキー操作ロック起動信号を出力する（ステップＳ５３）。また、サブ条件が成立する前に、メイン条件が不成立になった場合（ステップＳ５５がＹＥＳ）は、ステップＳ５１の処理に戻り、メイン条件が成立するのを待つ。なお、メイン条件が不成立になったことは、キー操作検出手段２１から入力されるリセット信号に基づいて検出することができる。
【００４８】
〔キー操作ロック機能が有効になっている場合の動作〕
次に、キー操作ロック機能が有効になっている場合の動作を説明する。制御手段２５は、携帯電話装置１の電源がＯＮにされると、図６のフローチャートに示す処理を開始し、初期状態（待ち受け状態）に遷移する（ステップＳ６１）。
【００４９】
その後、制御手段２５は、着信、キー操作などのイベントが発生すると（ステップＳ６２がＹＥＳ）、そのイベントを受け付けることができるか否かを判定する（ステップＳ６３）。ここで、制御手段２５は、キー操作ロック機能が有効な間は、ロック中受け付け可能イベント記憶部７３を参照して、イベントが受け付け可能か否かを判定し、キー操作ロック機能が有効になっていない間は、図示を省略した非ロック中受け付け可能イベント記憶部を参照して、イベントが受け付け可能か否かを判断する。
【００５０】
そして、受け付け可能と判断した場合（ステップＳ６３がＹＥＳ）は、イベントを受け付け、必要に応じて状態遷移を行った後（ステップＳ６４）、ステップＳ６２に戻り、新たなイベントの発生を待つ。これに対して、受け付け不可能と判断した場合（ステップＳ６３がＮＯ）は、ステップＳ６２に戻り、新たなイベントの発生を待つ。
【００５１】
〔キー操作ロック機能解除時の動作〕
次に、キー操作ロック機能の解除時の動作について説明する。キー操作ロック機能を解除する場合、ユーザは、自身のユーザＩＤが記録されている非接触ＩＣカード１０を携帯電話装置１に近づけ、その後、側面キー操作部２０３に設けられているロック解除キーを操作する。制御部２内のキー操作検出手段２１は、ロック解除キーが操作されたことを検出すると、認証手段２４に対して認証処理開始を指示する。
【００５２】
これにより、認証手段２４は、図７のフローチャートに示すように、リーダ／ライタ９を利用して、非接触ＩＣカード１０からユーザＩＤを入力し（ステップＳ７１）、入力したユーザＩＤと記憶部７に登録されているユーザＩＤとを比較することにより、本人認証を行う（ステップＳ７２）。そして、認証ＯＫの場合（ステップＳ７３がＹＥＳ）は、制御手段２５に対してキー操作ロック解除信号を出力し（ステップＳ７４）、認証ＮＧの場合（ステップＳ７３がＮＯ）は、その処理を終了する。なお、本実施の形態では、非接触ＩＣカード１０に登録されているユーザＩＤに基づいて本人認証を行うようにしたが、ロック解除キーが操作されたとき、カメラ１１によりユーザの顔画像を撮影し、この顔画像と予め記憶部７に登録しておいたユーザの顔画像とに基づいて本人認証を行うようにしても良い。
【００５３】
次に、具体例を挙げて本実施の形態の動作について説明する。
【００５４】
今、図８に示すように、時刻ｔ１において、ユーザが音楽再生するためのアプリケーションプログラムであるミュージックプレーヤを起動したとする。ユーザが時刻ｔ１において、ミュージックプレーヤを起動するためのキー操作を行うと、そのことがキー操作検出手段２１で検出され、タイマ２２にリセット信号が印加される。タイマ２２は、リセット信号が印加されると、カウント動作を開始する。そして、時刻ｔ２において計測時間がメイン条件記憶部７１に登録されている時間（５分とする）になると、タイマ２２は、ロック制御手段２３に対してタイムアウト信号を出力する。
【００５５】
ロック制御手段２３は、時刻ｔ２において、タイマ２２からタイムアウト信号が印加されると、図５のフローチャートに示すように、メイン条件が成立したか否かを判断する（ステップＳ５１）。今、メイン条件記憶部７１の該当する有効フラグがＯＮになっているとすると、ロック制御手段２３は、メイン条件が成立したと判断する。その後、ロック制御手段２３は、サブ条件記憶部７２を参照し、サブ条件が成立しているか否かを判断する（ステップＳ５２）。今、サブ条件記憶部７２に、「ミュージックプレーヤ非動作中」というサブ条件が登録されているとすると、ロック制御手段２３は、サブ条件が成立していないと判断し（ステップＳ５２がＮＯ）、キー操作ロック保留処理を行う（ステップＳ５４、Ｓ５５）。従って、この時点では、まだ、キー操作ロック機能が起動されていない。
【００５６】
その後、時刻ｔ３において、ユーザが音量を変更するためにキー操作を行うと、この時点では、キー操作ロック機能が有効になっていないので、音量が変更される。また、キー操作検出手段２１により、上記キー操作が検出され、タイマ２２及びロック制御手段２３にリセット信号が印加される。これにより、ロック制御手段２３は、メイン条件が不成立になったと判断し（ステップＳ５５がＮＯ）、ステップＳ５１の処理に戻る。また、タイマ２２は、カウント動作を開始し、時刻ｔ４において、計測時間が５分となると、ロック制御手段２３に対してタイムアウト信号を出力する。これにより、ロック制御手段２３は、メイン条件が成立したと判断し（図５のステップＳ５１）、その後、サブ条件が成立したか否かを判断する（ステップＳ５２）。この時点でも、ミュージックプレーヤが動作しているので、ロック制御手段２３は、サブ条件が成立していないと判断し（ステップＳ５２がＮＯ）、キー操作ロック保留処理を行う（ステップＳ５４、Ｓ５５）。そして、時刻ｔ５において音楽再生が終了し、ミュージックプレーヤが停止すると、ロック制御手段２３は、サブ条件が成立したと判断し（ステップＳ５４がＹＥＳ）、制御手段２５に対してキー操作ロック信号を出力する（ステップＳ５３）。これ以後、キー操作ロック機能は有効になる。
【００５７】
この図８に示した例においては、メイン条件が成立しても（ロック指示が発生しても）、ミュージックプレーヤというアプリケーションプログラムが動作していたら、キー操作ロック機能を有効にしないので、ロック指示が発生した後も、音量変更などを行うことが可能になり、使い勝手が向上する。
【００５８】
次に、図９を参照して別の具体例について説明する。時刻ｔ１１において、タイマ２２がカウント動作を開始し、その１分後の時刻ｔ１２において着信があり、更に、その１分後の時刻ｔ１３においてユーザが通話キーを操作したとする。ユーザが時刻ｔ１３において、通話キーを操作すると、キー操作検出手段２１がそのことを検出し、タイマ２２に対してリセット信号を出力する。これにより、タイマ２２はカウントを開始し、時刻ｔ１４において計測時間がメイン条件記憶部７１に登録されている時間（５分とする）になると、ロック制御手段２３に対してタイムアウト信号を出力する。
【００５９】
ロック制御手段２３は、時刻ｔ１４においてタイマ２２からタイムアウト信号が入力されると、図５のフローチャートに示すように、メイン条件が成立したか否かを判断する（ステップＳ５１）。今、メイン条件記憶部７１の該当する有効フラグがＯＮになっているとすると、ロック制御手段２３は、メイン条件が成立したと判断する。その後、ロック制御手段２３は、サブ条件記憶部７２を参照し、サブ条件が成立しているか否かを判断する（ステップＳ５２）。今、サブ条件記憶部７２に、「着信状態でない」「通話状態でない」というサブ条件が登録されているとすると、ロック制御手段２３は、サブ条件が成立していないと判断し（ステップＳ５２がＮＯ）、キー操作ロック保留処理を行う（ステップＳ５４、Ｓ５５）。従って、この時点では、まだ、キー操作ロック機能が起動されていない。
【００６０】
その後、時刻ｔ１５において通話が終了すると、ロック制御手段２３は、サブ条件が成立したと判断し（ステップＳ５４がＹＥＳ）、制御手段２５に対してキー操作ロック起動信号を出力する（ステップＳ５３）。また、通話が終了することにより、携帯電話装置１の状態は待ち受け状態となる。その後、キー操作ロック機能が有効になっており、且つ状態が「待ち受け状態」になっている時刻ｔ１６において、「着信」というイベントが発生すると（図６のステップＳ６２がＹＥＳ）、制御手段２５は、ロック中受け付け可能イベント記憶部７３を参照し、イベント「着信」の受け付けが許可されているか否かを判断する（ステップＳ６３）。今、ロック中受け付け可能イベント記憶部７３に、状態「待ち受け状態」に対応付けて「着信」が登録されているとすると、制御手段２５は、イベント「着信」を受け付け、「着信状態」に遷移する（ステップＳ６４）。
【００６１】
この図９に示した例においては、キー操作ロック機能が有効になった後も、着信が受け付けられるため、使い勝手が向上する。
【００６２】
〔実施の形態の効果〕
本実施の形態によれば、携帯電話装置の使い勝手を向上させることができるという効果を得ることができる。その理由は、ロック指示が発生したとき、自端末の状態が所定の条件を満たしているか否かを判定し、満たしている場合には、直ちに、キー操作ロック機能を有効にし、満たしていない場合は、上記所定の条件が成立するのを待ってキー操作ロック機能を有効にするロック制御手段２３を備えているからである。例えば、上記所定の条件として音楽再生用のアプリケーションプログラムが動作していないという条件を設定しておけば、音楽再生中にロック指示が発生しても、キー操作ロック機能が有効にならないので、ユーザは、音量調整などを行うことができ、使い勝手が向上する。
【００６３】
また、本実施の形態は、一定時間キー操作が行われなかったとき、ロック制御手段２３に対してロック指示を発生するロック指示手段（タイマ２２）を備えているので、ロックのかけ忘れを無くすことができるという効果を得ることができる。
【００６４】
更に、本実施の形態は、筐体側面に設けられたロック解除キーと、ロック解除キーが操作されたとき、認証処理を行い、認証処理に成功した場合、キー操作ロック機能の解除をロック制御手段２３に指示する認証手段２４とを備えているので、筐体を閉じたまま、キー操作ロック機能を解除することができ、操作性が向上する。
【産業上の利用可能性】
【００６５】
本発明は、キー操作ロック機能を有する携帯電話装置、ＰＨＳ等の携帯端末装置に適用でき、本発明を適用することにより、携帯端末装置の使い勝手を良くすることができる。
【図面の簡単な説明】
【００６６】
【図１】本発明を適用する折り畳み形状構造を有する携帯電話装置１の一例の外観図である。
【図２】携帯電話装置１の構成例を示すブロック図である。
【図３】記憶部７の内容例を示す図である。
【図４】制御部２の構成例を示す図である。
【図５】ロック制御手段２３の処理例を示すフローチャートである。
【図６】制御手段２５の処理例を示すフローチャートである。
【図７】認証手段２４の処理例を示すフローチャートである。
【図８】音楽再生中にロック指示が発生した場合（タイマ２２がタイムアウトした場合）の動作を説明するための図である。
【図９】キー操作ロック機能が有効になっているときに、着信があった場合の動作を説明するための図である。
【符号の説明】
【００６７】
１    携帯電話装置
２    制御部
２１    キー操作検出手段
２２    タイマ
２３    ロック制御手段
２４    認証手段
２５    制御手段
３    無線処理部
４    音声処理部
５    カメラ
６    開閉検出部
７    記憶部
７１    メイン条件記憶部
７２    サブ条件記憶部
７３    ロック中受け付け可能イベント記憶部
８    電源部
９    リーダ／ライタ
１０    非接触ＩＣカード
１１    データ処理部
１００    第１の筐体
１０１    アンテナ
１０２    受話部
１０３    表示部
２００    第２の筐体
２０１    前面キー操作部
２０２    送話部
２０３    側面キー操作部
３００    ヒンジ部
【手続補正書】
【提出日】平成21年6月17日(2009.6.17)
【手続補正１】
【補正対象書類名】特許請求の範囲
【補正対象項目名】全文
【補正方法】変更
【補正の内容】
【特許請求の範囲】
【請求項１】
携帯端末装置であって、キー操作ロック指示が発生し、前記携帯端末装置の状態が所定の条件を満たしている場合に、キー操作ロック機能を有効にするロック制御手段と、非接触ＩＣ読み取り手段と、を備え、
前記ロック制御手段は、キー操作ロック機能が有効であり、前記非接触ＩＣ読み取り手段が所定のユーザＩＤを含む非接触ＩＣを読み取った場合、前記ユーザＩＤを認証情報として用いることにより前記キー操作ロック機能を解除することを特徴とする携帯端末装置。
【請求項２】
請求項１記載の携帯端末装置において、
前記非接触ＩＣ読み取り手段が読み取る前記非接触ＩＣはカードに備えられていることを特徴とする携帯端末装置。
【請求項３】
請求項１又は２記載の携帯端末装置において、
前記ロック制御手段は、キー操作ロック指示が発生し、前記携帯端末装置の状態が所定の条件を満たしていない場合は、キー操作ロック機能を有効にしないことを特徴とする携帯端末装置。
【請求項４】
請求項３記載の携帯端末装置において、
前記ロック制御手段は、前記キー操作ロック指示が発生し、前記携帯端末装置の状態が前記所定の条件を満たしていない場合は、前記所定の条件が満たされた後に前記キー操作ロック機能を有効にすることを特徴とする携帯端末装置。
【請求項５】
請求項１から４のいずれか１項に記載の携帯端末装置において、
前記所定の条件は、特定のプログラムが起動されていないことであることを特徴とする携帯端末装置。
【請求項６】
請求項１から５のいずれか１項に記載の携帯端末装置において、
前記キー操作ロック機能は、受け付けるイベントを制限する機能であることを特徴とする携帯端末装置。
【請求項７】
請求項６記載の携帯端末装置において、
前記キー操作ロック機能は、キー操作ロックを解除するためのイベントを制限しないことを特徴とする携帯端末装置。
【請求項８】
請求項１から７のいずれか１項に記載の携帯端末装置において、
一定時間キー操作が行われなかったとき、前記ロック制御手段に対して前記ロック指示を発生するロック指示手段を備えたことを特徴とする携帯端末装置。
【請求項９】
請求項１から７のいずれか１項に記載の携帯端末装置において、
携帯端末装置の筐体は開閉可能であり、前記筺体が閉じられたとき、前記ロック制御手段に対して前記ロック指示を発生するロック指示手段を備えたことを特徴とする携帯端末装置。
【請求項１０】
キー操作ロック指示が発生し、携帯端末装置の状態が所定の条件を満たしている場合に、キー操作ロック機能を有効にするロック制御ステップと、非接触ＩＣ読み取りステップと、を有し、
前記ロック制御ステップは、キー操作ロック機能が有効であり、前記非接触ＩＣ読み取りステップで所定のユーザＩＤを含む非接触ＩＣが読み取られた場合、前記ユーザＩＤを認証情報として用いることにより前記キー操作ロック機能を解除することを特徴とする携帯端末装置におけるキー操作ロック方法。
【請求項１１】
請求項１０記載の携帯端末装置におけるキー操作ロック方法において、
前記ロック制御ステップは、キー操作ロック指示が発生し、前記携帯端末装置の状態が所定の条件を満たしていない場合は、キー操作ロック機能を有効にしないことを特徴とする携帯端末装置におけるキー操作ロック方法。
【請求項１２】
請求項１１記載の携帯端末装置におけるキー操作ロック方法において、
前記キー操作ロック指示が発生したとき、前記携帯端末装置の状態が前記所定の条件を満たしていない場合は、前記所定の条件が満たされた後に前記キー操作ロック機能を有効にすることを特徴とする携帯端末装置におけるキー操作ロック方法。
【請求項１３】
請求項１０から１２のいずれか１項に記載の携帯端末装置におけるキー操作ロック方法において、
前記所定の条件は、特定のプログラムが起動されていないことであることを特徴とする携帯端末装置におけるキー操作ロック方法。
【請求項１４】
コンピュータに、
キー操作ロック指示が発生し、携帯端末装置の状態が所定の条件を満たしている場合に、キー操作ロック機能を有効にするロック制御処理ステップと、非接触ＩＣ読み取りステップと、を実行させ、
前記ロック制御ステップは、キー操作ロック機能が有効であり、前記非接触ＩＣ読み取りステップで所定のユーザＩＤを含む非接触ＩＣが読み取られた場合、前記ユーザＩＤを認証情報として用いることにより前記キー操作ロック機能を解除することを特徴とするプログラム。
【請求項１５】
請求項１４記載のプログラムにおいて、
前記ロック制御ステップは、キー操作ロック指示が発生し、前記携帯端末装置の状態が所定の条件を満たしていない場合は、キー操作ロック機能を有効にしないことを特徴とするプログラム。
【請求項１６】
請求項１５記載のプログラムにおいて、
前記ロック制御ステップは、前記キー操作ロック指示が発生し、前記携帯端末装置の状態が前記所定の条件を満たしていない場合は、前記所定の条件が満たされた後に前記キー操作ロック機能を有効にすることを特徴とするプログラム。
【請求項１７】
請求項１４から１６のいずれか１項に記載のプログラムにおいて、
前記所定の条件は、特定のプログラムが起動されていないことであることを特徴とするプログラム。
【手続補正２】
【補正対象書類名】明細書
【補正対象項目名】全文
【補正方法】変更
【補正の内容】
【発明の詳細な説明】
【技術分野】
【０００１】
本発明は、キー操作ロック機能を有する携帯電話装置やＰＨＳ(Personal Handyphone System)等の携帯端末装置に関し、特に、ロック指示が発生したとき、携帯端末装置の状態に応じて直ちにキー操作ロック機能を有効にするか否かを制御できるようにすることにより使い勝手を向上させた携帯端末装置に関する。
【背景技術】
【０００２】
従来から携帯電話装置などの携帯端末装置においては、他人の不正利用、電話帳やメールなどの秘密データの漏洩、鞄やポケットに入れて持ち運ぶ際に発生する恐れがあるキーの誤操作などを防止するために、キー操作ロック機能が設けられている。
【０００３】
ところで、キー操作ロック機能を有する従来の一般的な携帯端末装置は、ユーザがキー操作ロック機能を有効にするための特別なキー操作を行ったとき、キー操作ロック機能を有効にするが、これ以外にも、携帯端末装置が折り畳まれたことを契機にしてキー操作ロック機能を有効にする携帯端末装置（例えば、特許文献１、２参照）や、キー操作がされなくなってから所定時間が経過したとき、キー操作ロック機能を有効にする携帯端末装置（例えば、特許文献３参照）や、音楽再生処理を開始してから所定時間後にキー操作ロック機能を有効にする携帯端末装置（例えば、特許文献４参照）も従来から知られている。
【０００４】
【特許文献１】特開平９−２６６５０２号公報
【特許文献２】特開２００１−２１７９２４号公報
【特許文献３】特開２００１−３２０４７７号公報
【特許文献４】特開２００５−１６７４５５号公報
【発明の開示】
【発明が解決しようとする課題】
【０００５】
上述した特許文献１〜４に記載されている携帯端末装置によれば、ユーザが特別なキー操作を行わなくとも、キー操作ロック機能を有効にすることができるので、キー操作ロックの設定し忘れを減少あるいは無くすことができる。
【０００６】
しかしながら、特許文献１、２に記載されている携帯端末装置は、携帯端末装置を折り畳むという、キー操作ロック機能を有効にするためのイベント（ロック指示）が発生すると、直ちにキー操作ロック機能を有効にし、特許文献３に記載されている携帯端末装置は、キー操作が行われなくなってから所定時間が経過するという、キー操作ロック機能を有効にするためのイベント（ロック指示）が発生すると、直ちにキー操作ロック機能を有効にし、特許文献４に記載されている携帯端末装置は、音楽再生処理が開始されてから所定時間が経過するという、キー操作ロックを有効にするためのイベント（ロック指示）が発生すると、直ちに、キー操作ロックを有効にしている。即ち、従来の携帯端末装置は、ロック指示が発生すると無条件でキー操作ロック機能を働かせるものであった。このため、ロック指示が発生した時点の端末の状態によっては、ユーザにとって使い勝手が悪くなるという問題がある。例えば、音楽再生中や動画再生中などにロック指示が発生すると、直ちにキー操作ロック機能が有効になってしまい、それ以後、音量調整などを行うことができなくなってしまうからである。
【０００７】
〔発明の目的〕
そこで、本発明の目的は、ロック指示が発生したとき、携帯端末装置の状態に応じてキー操作ロック機能を直ちに有効にするか否かを制御できる、ユーザにとって使い勝手の良い携帯端末装置を提供することにある。
【課題を解決するための手段】
【０００８】
本発明にかかる第１の携帯端末装置は、
携帯端末装置であって、キー操作ロック指示が発生し、前記携帯端末装置の状態が所定の条件を満たしている場合に、キー操作ロック機能を有効にするロック制御手段と、非接触ＩＣ読み取り手段と、を備え、
前記ロック制御手段は、キー操作ロック機能が有効であり、前記非接触ＩＣ読み取り手段が所定のユーザＩＤを含む非接触ＩＣを読み取った場合、前記ユーザＩＤを認証情報として用いることにより前記キー操作ロック機能を解除することを特徴とする。
【０００９】
本発明にかかる第２の携帯端末装置は、第１の携帯端末装置において、
前記非接触ＩＣ読み取り手段が読み取る前記非接触ＩＣはカードに備えられていることを特徴とする。
【００１０】
本発明にかかる第３の携帯端末装置は、第１又は２の携帯端末装置において、
前記ロック制御手段は、キー操作ロック指示が発生し、前記携帯端末装置の状態が所定の条件を満たしていない場合は、キー操作ロック機能を有効にしないことを特徴とする。
【００１１】
本発明にかかる第４の携帯端末装置は、第３の携帯端末装置において、
前記ロック制御手段は、前記キー操作ロック指示が発生し、前記携帯端末装置の状態が前記所定の条件を満たしていない場合は、前記所定の条件が満たされた後に前記キー操作ロック機能を有効にすることを特徴とする。
【００１２】
本発明にかかる第５の携帯端末装置は、第１から４のいずれかの携帯端末装置において、
前記所定の条件は、特定のプログラムが起動されていないことであることを特徴とする。
【００１３】
本発明にかかる第６の携帯端末装置は、第１から５のいずれかの携帯端末装置において、
前記キー操作ロック機能は、受け付けるイベントを制限する機能であることを特徴とする。
【００１４】
本発明にかかる第７の携帯端末装置は、第６の携帯端末装置において、
前記キー操作ロック機能は、キー操作ロックを解除するためのイベントを制限しないことを特徴とする。
【００１５】
本発明にかかる第８の携帯端末装置は、第１から７のいずれかの携帯端末装置において、
一定時間キー操作が行われなかったとき、前記ロック制御手段に対して前記ロック指示を発生するロック指示手段を備えたことを特徴とする。
【００１６】
本発明にかかる第９の携帯端末装置は、第１から７のいずれかの携帯端末装置において、
携帯端末装置の筐体は開閉可能であり、前記筺体が閉じられたとき、前記ロック制御手段に対して前記ロック指示を発生するロック指示手段を備えたことを特徴とする。
【００１７】
本発明にかかる第１の携帯端末装置におけるキー操作ロック方法は、
キー操作ロック指示が発生し、携帯端末装置の状態が所定の条件を満たしている場合に、キー操作ロック機能を有効にするロック制御ステップと、非接触ＩＣ読み取りステップと、を有し、
前記ロック制御ステップは、キー操作ロック機能が有効であり、前記非接触ＩＣ読み取りステップで所定のユーザＩＤを含む非接触ＩＣが読み取られた場合、前記ユーザＩＤを認証情報として用いることにより前記キー操作ロック機能を解除することを特徴とする。
【００１８】
本発明にかかる第２の携帯端末装置におけるキー操作ロック方法は、第１の携帯端末装置におけるキー操作ロック方法において、
前記ロック制御ステップは、キー操作ロック指示が発生し、前記携帯端末装置の状態が所定の条件を満たしていない場合は、キー操作ロック機能を有効にしないことを特徴とする。
【００１９】
本発明にかかる第３の携帯端末装置におけるキー操作ロック方法は、第２の携帯端末装置におけるキー操作ロック方法において、
前記キー操作ロック指示が発生したとき、前記携帯端末装置の状態が前記所定の条件を満たしていない場合は、前記所定の条件が満たされた後に前記キー操作ロック機能を有効にすることを特徴とする。
【００２０】
本発明にかかる第４の携帯端末装置におけるキー操作ロック方法は、第１から３のいずれかの携帯端末装置におけるキー操作ロック方法において、
前記所定の条件は、特定のプログラムが起動されていないことであることを特徴とする。
【００２１】
本発明にかかる第１のプログラムは、
コンピュータに、
キー操作ロック指示が発生し、携帯端末装置の状態が所定の条件を満たしている場合に、キー操作ロック機能を有効にするロック制御処理ステップと、非接触ＩＣ読み取りステップと、を実行させ、
前記ロック制御ステップは、キー操作ロック機能が有効であり、前記非接触ＩＣ読み取りステップで所定のユーザＩＤを含む非接触ＩＣが読み取られた場合、前記ユーザＩＤを認証情報として用いることにより前記キー操作ロック機能を解除することを特徴とする。
【００２２】
本発明にかかる第２のプログラムは、第１のプログラムにおいて、
前記ロック制御ステップは、キー操作ロック指示が発生し、前記携帯端末装置の状態が所定の条件を満たしていない場合は、キー操作ロック機能を有効にしないことを特徴とする。
【００２３】
本発明にかかる第３のプログラムは、第２のプログラムにおいて、
前記ロック制御ステップは、前記キー操作ロック指示が発生し、前記携帯端末装置の状態が前記所定の条件を満たしていない場合は、前記所定の条件が満たされた後に前記キー操作ロック機能を有効にすることを特徴とする。
【００２４】
本発明にかかる第４のプログラムは、第１から３のいずれかのプログラムにおいて、
前記所定の条件は、特定のプログラムが起動されていないことであることを特徴とする。
【００２５】
〔作用〕
キーが一定時間操作されていない、筐体が閉じられた等のイベントを契機にしてロック指示が発生すると、ロック制御手段は、その時の自端末の状態が所定の条件を満たしている否かを判断する。上記所定の条件としては、特定のアプリケーションプログラムが動作中でない、携帯端末装置の状態が所定の状態でない等を設定することができる。そして、自端末の状態が所定の条件を満たしている場合には、直ちにキー操作ロック機能を有効にし、満たしていない場合は、上記所定の条件が満たされるのを待ってキー操作ロック機能を有効にする。キー操作ロック機能は、有効にされると、受け付け可能なイベントを制限する。
【発明の効果】
【００２６】
本発明によれば、携帯端末装置の使い勝手を向上させることができるという効果を得ることができる。その理由は、ロック指示が発生したとき、自端末の状態が所定の条件を満たしているか否かを判定し、満たしている場合には、直ちに、キー操作ロック機能を有効にし、満たしていない場合は、上記所定の条件が成立するのを待ってキー操作ロック機能を有効にするロック制御手段を備えているからである。例えば、上記所定の条件として音楽再生用のアプリケーションプログラムが動作していないという条件を設定しておけば、上記アプリケーションプログラムによって音楽再生中にロック指示が発生しても、キー操作ロック機能が有効にならないので、ユーザは、音量調整などを行うことができ、使い勝手が向上する。
【発明を実施するための最良の形態】
【００２７】
次に、発明を実施するための最良の形態について図面を参照して詳細に説明する。
【００２８】
〔実施の形態の構成の説明〕
図１は本発明を適用する折り畳み形状構造を有する携帯電話装置１の一例の外観図である。同図を参照すると、携帯電話装置１は、第１の筐体１００と、第２の筐体２００とを備えており、両者はヒンジ部３００により回転可能に連結されている。第１の筐体１００には、アンテナ１０１と、受話部１０２と、ＬＣＤにより構成される表示部１０３とが設けられ、第２の筐体２００には、テンキーなどを含む前面キー操作部２０１と、送話部２０２とが設けられている。また、図１では図示されていないが、第２の筐体２００の側面には、ロック解除キー等を含む側面キー操作部２０３（図２参照）が設けられている。
【００２９】
図２は、携帯電話装置１の構成例を示すブロック図であり、アンテナ１０１と、受話部１０２と、表示部１０３と、前面キー操作部２０１と、送話部２０２と、側面キー操作部２０３とを備えている。更に、携帯電話装置１は筐体内部に、ＣＰＵによって実現される制御部２と、変復調処理を行う無線処理部３と、音声に対する処理を行う音声処理部４と、カメラ５と、データに対する処理を行うデータ処理部１１と、筐体１００、２００の開閉状態を検出し、検出結果を制御部２に対して出力する開閉検出部６と、記憶部７と、装置各部に動作電圧を供給する電源部８と、非接触ＩＣカード１０に対してデータの読み書きを行うリーダ／ライタ９とを備えている。なお、非接触ＩＣカード１０には、携帯電話装置１のユーザを認証するためのユーザＩＤが登録されている。
【００３０】
図３は、記憶部７の内容例を示す図である。同図を参照すると、記憶部７には、メイン条件記憶部７１と、サブ条件記憶部７２と、ロック中受け付け可能イベント記憶部７３とが設けられている。
【００３１】
メイン条件記憶部７１には、ロック指示が発生しているか否かを判定するための条件であるメイン条件が登録されている。図３を参照すると、メイン条件記憶部７１には、複数のメイン条件と、そのメイン条件を有効にするか否かを示す有効フラグ（ＯＮで有効）とが登録されている。図３の例の場合、「筐体が閉じられている」というメイン条件に対する有効フラグも、「キー無操作時間が５分以上」というメイン条件に対する有効フラグもＯＮとなっているので、上記２つのメイン条件の内の何れか一方が成立すれば、ロック指示が発生していると判定することになる。なお、有効フラグは、ユーザによって変更可能であり、例えば、「筐体が閉じられている」というメイン条件に対する有効フラグをＯＮとし、「キー無操作時間が５分以上」というメイン条件に対する有効フラグをＯＦＦとするようにすることもできる。このようにした場合には、「筐体が閉じられている」というメイン条件が成立した場合のみ、ロック指示が発生していると判定することになる。また、キー無操作時間もユーザによって変更可能である。
【００３２】
サブ条件記憶部７２には、携帯電話装置１の状態が、キー操作ロック機能を有効にしても良い状態になっているか否かを判定するための条件であるサブ条件が登録されている。図３を参照すると、サブ条件記憶部７２には、複数のサブ条件「ミュージックプレーヤ（アプリケーションプログラム）非動作中」、「動画プレーヤ（アプリケーションプログラム）非動作中」、…が登録されており、それらが全て成立した場合のみ、携帯電話装置１の状態が、キー操作ロック機能を有効にしても良い状態になっていると判定することになる。なお、サブ条件記憶部７２の内容は、図３の例に限られるものではなく、例えば、サブ条件として「着信状態でない」「通話状態でない」等を登録するようにしても良い。このようなサブ条件を登録した場合には、着信状態や通話状態においてロック指示が発生しても、携帯電話装置１の状態が「待ち受け状態」になるまで、キー操作ロック機能は有効にならない。
【００３３】
ロック中受け付け可能イベント記憶部７３には、キー操作ロック機能が有効になった場合に受け付けることができるイベントが、携帯電話装置１の状態毎に登録されている。キー操作ロック機能が有効にされた後に受け付け可能なイベントは、キー操作ロック機能が有効にされる前と比較して制限されており、図３の例では、携帯電話装置１の状態が「待ち受け状態」のときは、受け付け可能なイベントが「着信」のみに制限されており、携帯電話装置１の状態が「着信状態」のときは、受け付け可能なイベントが「通話キー操作」のみに制限されており、「通話中状態」のときは、受け付け可能なイベントが「スピーカ切り替え操作」「終話キー操作」のみに制限されている。
【００３４】
ここで、ロック中受け付け可能イベント記憶部７３の内容は、図３の例に限られるものではなく、例えば、「待ち受け状態」において受け付け可能なイベントとして「メール受信」を登録しておけば、キー操作ロック機能が有効になっている場合であっても、メールを受信することができる。また、受け付け可能なイベントとして、「メールの閲覧操作」を登録しておかなければ、メールの閲覧を禁止することができる。更に、各状態に受け付け可能なイベントとして、「アラーム通知」を登録しておけば、指定された時刻になったときに、アラーム表示などを行うことが可能になる。また、各状態に受け付け可能なイベントとして、「ＧＰＳ位置取得操作」を登録しておけば、キー操作ロック機能の制約を受けずに、現在位置を取得することができる。
【００３５】
なお、図３では図示を省略したが、記憶部７には、キー操作ロックが有効になっていない場合に受け付けることができるイベントが、携帯電話装置１の状態毎に登録されている非ロック中受け付け可能イベント記憶部や、ユーザＩＤが登録されているユーザＩＤ記憶部も設けられている。
【００３６】
図４は、制御部２の構成例を示すブロック図であり、キー操作検出手段２１と、タイマ２２と、ロック制御手段２３と、認証手段２４と、制御手段２５とを備えている。
【００３７】
キー操作検出手段２１は、前面キー操作部２０１及び側面キー操作部２０３に設けられているキーが操作されたことを検出したとき、操作されたキーに対応するコードを制御手段２５に対して出力する機能を有する。更に、キー操作検出手段２１は、キー操作を検出する毎に、タイマ２２及びロック制御手段２３に対してリセット信号を出力する機能や、側面キー操作部２０３に設けられているロック解除キーが操作されたことを検出したとき、認証手段２４に対して認証処理開始を指示する機能を有する。
【００３８】
タイマ２２は、キー操作検出手段２１からリセット信号が入力される毎にリセットされ、計測時間が、メイン条件記憶部７１に登録されている時間（図３の例では、５分）になると、ロック制御手段２３に対してタイムアウト信号を出力する。即ち、タイマ２２は、キー無操作時間が、メイン条件記憶部７１に登録されている時間となると、ロック制御手段２３に対してロック開始を指示するために、タイムアウト信号を出力する。
【００３９】
認証手段２４は、キー操作検出手段２１から認証処理開始を指示されると、リーダ／ライタ９を利用して、ユーザが所持している非接触ＩＣカード１０からユーザＩＤを読み込み、この読み込んだユーザＩＤと記憶部７に登録されているユーザＩＤとを比較して本人認証を行う。そして、認証ＯＫの場合は、ロック制御手段２３に対してロック解除指示を出力する。
【００４０】
ロック制御手段２３は、次のような機能を有する。
【００４１】
・タイマ２２からタイムアウト信号が出力され、且つメイン条件記憶部７１に登録されているメイン条件「キー操作ロック無操作時間が５分以上」に対応する有効フラグがＯＮになっている場合、及び開閉検出部６からの検出結果が筐体が閉じられていることを示し、且つメイン条件記憶部７１に登録されている「筐体が閉じられている」に対する有効フラグがＯＮとなっている場合、ロック指示が発生していると判断する機能。
【００４２】
・ロック指示が発生していると判断した場合は、サブ条件記憶部７２に登録されている全てのサブ条件が満たされているか否かを判定し、満たされている場合には、制御手段２５に対してキー操作ロック起動信号を出力し、満たされていない場合は、全てのサブ条件が成立するのを待って、制御手段２５に対してキー操作ロック起動信号を出力する機能。
【００４３】
・認証手段２４からロック解除指示が入力されたとき、制御手段２５に対してキー操作ロック解除信号を出力する機能。
【００４４】
制御手段２５は、ロック制御手段２３からキー操作ロック起動信号が入力されてからキー操作ロック解除信号が入力されるまでの間、即ちキー操作ロック機能が有効になっている間は、イベントが発生する毎に、ロック中受け付け可能イベント記憶部７３を参照し、発生したイベントが受け付け可能か否かを判定する。そして、受け付け可能と判断した場合は、イベントを受け付け、必要に応じて状態遷移する。
【００４５】
制御部２は、コンピュータ（ＣＰＵ）によって実現可能であり、コンピュータによって実現する場合は、例えば、次のようにする。コンピュータをキー操作検出手段２１、タイマ２２、ロック制御手段２３、認証手段２４、制御手段２５として機能させるためのプログラムを記録したディスク、半導体メモリ、その他の記録媒体を用意し、コンピュータに上記プログラムを読み取らせる。コンピュータは、読み取ったプログラムに従って自身の動作を制御し、自コンピュータ上に、キー操作検出手段２１、タイマ２２、ロック制御手段２３、認証手段２４、制御手段２５を実現する。
【００４６】
〔実施の形態の動作の説明〕
次に、本実施の形態の動作について詳細に説明する。
【００４７】
〔キー操作ロック機能起動時の動作〕
先ず、キー操作ロック機能起動時の動作について説明する。制御部２内のロック制御手段２３には、携帯電話装置１のユーザが所定時間（図３の例では５分）、キー操作を行わなかった場合、タイマ２２からタイムアウト信号が入力され、また、ユーザが筐体を閉じた場合、開閉検出部６から筐体が閉じられたことを示す検出結果が入力される。
【００４８】
ロック制御手段２３は、タイマ２２からタイムアウト信号が入力された場合、及び開閉検出部６から筐体が閉じられたことを示す検出結果が入力された場合、メイン条件記憶部７１に登録されている該当する有効フラグがＯＮになっていれば、メイン条件が成立した（ロック指示が発生した）と判断する（図５のステップＳ５１）。メイン条件記憶部７１の内容が、図３に示すものである場合は、ロック制御手段２３は、タイマ２２からタイムアウト信号が入力された場合も、開閉検出部６から筐体が閉じられたことを示す検出結果が入力された場合も、メイン条件が成立したと判断する。
【００４９】
メイン条件が成立したと判断すると（ステップＳ５１がＹＥＳ）、ロック制御手段２３は、サブ条件が成立しているか否かを判断する（ステップＳ５２）。より具体的には、サブ条件記憶部７２を参照し、そこに登録されているサブ条件が全て成立している場合、サブ条件が成立していると判断する。例えば、サブ条件記憶部７２の内容が図３に示すものである場合は、アプリケーションプログラムである「ミュージックプレーヤ」が非動作中で、且つアプリケーションプログラムである「動作プレーヤ」が非動作中の場合、サブ条件が成立したと判断する。
【００５０】
そして、サブ条件が成立したと判断した場合（ステップＳ５２がＹＥＳ）は、ロック制御手段２３は、制御手段２５に対してキー操作ロック起動信号を出力する（ステップＳ５３）。
【００５１】
これに対して、サブ条件が成立していないと判断した場合（ステップＳ５２がＮＯ）は、キー操作ロック保留処理を行う。キー操作ロック保留処理では、サブ条件の成立を待ち、サブ条件が成立すると（ステップＳ５４がＹＥＳ）、制御手段２５に対してキー操作ロック起動信号を出力する（ステップＳ５３）。また、サブ条件が成立する前に、メイン条件が不成立になった場合（ステップＳ５５がＹＥＳ）は、ステップＳ５１の処理に戻り、メイン条件が成立するのを待つ。なお、メイン条件が不成立になったことは、キー操作検出手段２１から入力されるリセット信号に基づいて検出することができる。
【００５２】
〔キー操作ロック機能が有効になっている場合の動作〕
次に、キー操作ロック機能が有効になっている場合の動作を説明する。制御手段２５は、携帯電話装置１の電源がＯＮにされると、図６のフローチャートに示す処理を開始し、初期状態（待ち受け状態）に遷移する（ステップＳ６１）。
【００５３】
その後、制御手段２５は、着信、キー操作などのイベントが発生すると（ステップＳ６２がＹＥＳ）、そのイベントを受け付けることができるか否かを判定する（ステップＳ６３）。ここで、制御手段２５は、キー操作ロック機能が有効な間は、ロック中受け付け可能イベント記憶部７３を参照して、イベントが受け付け可能か否かを判定し、キー操作ロック機能が有効になっていない間は、図示を省略した非ロック中受け付け可能イベント記憶部を参照して、イベントが受け付け可能か否かを判断する。
【００５４】
そして、受け付け可能と判断した場合（ステップＳ６３がＹＥＳ）は、イベントを受け付け、必要に応じて状態遷移を行った後（ステップＳ６４）、ステップＳ６２に戻り、新たなイベントの発生を待つ。これに対して、受け付け不可能と判断した場合（ステップＳ６３がＮＯ）は、ステップＳ６２に戻り、新たなイベントの発生を待つ。
【００５５】
〔キー操作ロック機能解除時の動作〕
次に、キー操作ロック機能の解除時の動作について説明する。キー操作ロック機能を解除する場合、ユーザは、自身のユーザＩＤが記録されている非接触ＩＣカード１０を携帯電話装置１に近づけ、その後、側面キー操作部２０３に設けられているロック解除キーを操作する。制御部２内のキー操作検出手段２１は、ロック解除キーが操作されたことを検出すると、認証手段２４に対して認証処理開始を指示する。
【００５６】
これにより、認証手段２４は、図７のフローチャートに示すように、リーダ／ライタ９を利用して、非接触ＩＣカード１０からユーザＩＤを入力し（ステップＳ７１）、入力したユーザＩＤと記憶部７に登録されているユーザＩＤとを比較することにより、本人認証を行う（ステップＳ７２）。そして、認証ＯＫの場合（ステップＳ７３がＹＥＳ）は、制御手段２５に対してキー操作ロック解除信号を出力し（ステップＳ７４）、認証ＮＧの場合（ステップＳ７３がＮＯ）は、その処理を終了する。なお、本実施の形態では、非接触ＩＣカード１０に登録されているユーザＩＤに基づいて本人認証を行うようにしたが、ロック解除キーが操作されたとき、カメラ１１によりユーザの顔画像を撮影し、この顔画像と予め記憶部７に登録しておいたユーザの顔画像とに基づいて本人認証を行うようにしても良い。
【００５７】
次に、具体例を挙げて本実施の形態の動作について説明する。
【００５８】
今、図８に示すように、時刻ｔ１において、ユーザが音楽再生するためのアプリケーションプログラムであるミュージックプレーヤを起動したとする。ユーザが時刻ｔ１において、ミュージックプレーヤを起動するためのキー操作を行うと、そのことがキー操作検出手段２１で検出され、タイマ２２にリセット信号が印加される。タイマ２２は、リセット信号が印加されると、カウント動作を開始する。そして、時刻ｔ２において計測時間がメイン条件記憶部７１に登録されている時間（５分とする）になると、タイマ２２は、ロック制御手段２３に対してタイムアウト信号を出力する。
【００５９】
ロック制御手段２３は、時刻ｔ２において、タイマ２２からタイムアウト信号が印加されると、図５のフローチャートに示すように、メイン条件が成立したか否かを判断する（ステップＳ５１）。今、メイン条件記憶部７１の該当する有効フラグがＯＮになっているとすると、ロック制御手段２３は、メイン条件が成立したと判断する。その後、ロック制御手段２３は、サブ条件記憶部７２を参照し、サブ条件が成立しているか否かを判断する（ステップＳ５２）。今、サブ条件記憶部７２に、「ミュージックプレーヤ非動作中」というサブ条件が登録されているとすると、ロック制御手段２３は、サブ条件が成立していないと判断し（ステップＳ５２がＮＯ）、キー操作ロック保留処理を行う（ステップＳ５４、Ｓ５５）。従って、この時点では、まだ、キー操作ロック機能が起動されていない。
【００６０】
その後、時刻ｔ３において、ユーザが音量を変更するためにキー操作を行うと、この時点では、キー操作ロック機能が有効になっていないので、音量が変更される。また、キー操作検出手段２１により、上記キー操作が検出され、タイマ２２及びロック制御手段２３にリセット信号が印加される。これにより、ロック制御手段２３は、メイン条件が不成立になったと判断し（ステップＳ５５がＮＯ）、ステップＳ５１の処理に戻る。また、タイマ２２は、カウント動作を開始し、時刻ｔ４において、計測時間が５分となると、ロック制御手段２３に対してタイムアウト信号を出力する。これにより、ロック制御手段２３は、メイン条件が成立したと判断し（図５のステップＳ５１）、その後、サブ条件が成立したか否かを判断する（ステップＳ５２）。この時点でも、ミュージックプレーヤが動作しているので、ロック制御手段２３は、サブ条件が成立していないと判断し（ステップＳ５２がＮＯ）、キー操作ロック保留処理を行う（ステップＳ５４、Ｓ５５）。そして、時刻ｔ５において音楽再生が終了し、ミュージックプレーヤが停止すると、ロック制御手段２３は、サブ条件が成立したと判断し（ステップＳ５４がＹＥＳ）、制御手段２５に対してキー操作ロック信号を出力する（ステップＳ５３）。これ以後、キー操作ロック機能は有効になる。
【００６１】
この図８に示した例においては、メイン条件が成立しても（ロック指示が発生しても）、ミュージックプレーヤというアプリケーションプログラムが動作していたら、キー操作ロック機能を有効にしないので、ロック指示が発生した後も、音量変更などを行うことが可能になり、使い勝手が向上する。
【００６２】
次に、図９を参照して別の具体例について説明する。時刻ｔ１１において、タイマ２２がカウント動作を開始し、その１分後の時刻ｔ１２において着信があり、更に、その１分後の時刻ｔ１３においてユーザが通話キーを操作したとする。ユーザが時刻ｔ１３において、通話キーを操作すると、キー操作検出手段２１がそのことを検出し、タイマ２２に対してリセット信号を出力する。これにより、タイマ２２はカウントを開始し、時刻ｔ１４において計測時間がメイン条件記憶部７１に登録されている時間（５分とする）になると、ロック制御手段２３に対してタイムアウト信号を出力する。
【００６３】
ロック制御手段２３は、時刻ｔ１４においてタイマ２２からタイムアウト信号が入力されると、図５のフローチャートに示すように、メイン条件が成立したか否かを判断する（ステップＳ５１）。今、メイン条件記憶部７１の該当する有効フラグがＯＮになっているとすると、ロック制御手段２３は、メイン条件が成立したと判断する。その後、ロック制御手段２３は、サブ条件記憶部７２を参照し、サブ条件が成立しているか否かを判断する（ステップＳ５２）。今、サブ条件記憶部７２に、「着信状態でない」「通話状態でない」というサブ条件が登録されているとすると、ロック制御手段２３は、サブ条件が成立していないと判断し（ステップＳ５２がＮＯ）、キー操作ロック保留処理を行う（ステップＳ５４、Ｓ５５）。従って、この時点では、まだ、キー操作ロック機能が起動されていない。
【００６４】
その後、時刻ｔ１５において通話が終了すると、ロック制御手段２３は、サブ条件が成立したと判断し（ステップＳ５４がＹＥＳ）、制御手段２５に対してキー操作ロック起動信号を出力する（ステップＳ５３）。また、通話が終了することにより、携帯電話装置１の状態は待ち受け状態となる。その後、キー操作ロック機能が有効になっており、且つ状態が「待ち受け状態」になっている時刻ｔ１６において、「着信」というイベントが発生すると（図６のステップＳ６２がＹＥＳ）、制御手段２５は、ロック中受け付け可能イベント記憶部７３を参照し、イベント「着信」の受け付けが許可されているか否かを判断する（ステップＳ６３）。今、ロック中受け付け可能イベント記憶部７３に、状態「待ち受け状態」に対応付けて「着信」が登録されているとすると、制御手段２５は、イベント「着信」を受け付け、「着信状態」に遷移する（ステップＳ６４）。
【００６５】
この図９に示した例においては、キー操作ロック機能が有効になった後も、着信が受け付けられるため、使い勝手が向上する。
【００６６】
〔実施の形態の効果〕
本実施の形態によれば、携帯電話装置の使い勝手を向上させることができるという効果を得ることができる。その理由は、ロック指示が発生したとき、自端末の状態が所定の条件を満たしているか否かを判定し、満たしている場合には、直ちに、キー操作ロック機能を有効にし、満たしていない場合は、上記所定の条件が成立するのを待ってキー操作ロック機能を有効にするロック制御手段２３を備えているからである。例えば、上記所定の条件として音楽再生用のアプリケーションプログラムが動作していないという条件を設定しておけば、音楽再生中にロック指示が発生しても、キー操作ロック機能が有効にならないので、ユーザは、音量調整などを行うことができ、使い勝手が向上する。
【００６７】
また、本実施の形態は、一定時間キー操作が行われなかったとき、ロック制御手段２３に対してロック指示を発生するロック指示手段（タイマ２２）を備えているので、ロックのかけ忘れを無くすことができるという効果を得ることができる。
【００６８】
更に、本実施の形態は、筐体側面に設けられたロック解除キーと、ロック解除キーが操作されたとき、認証処理を行い、認証処理に成功した場合、キー操作ロック機能の解除をロック制御手段２３に指示する認証手段２４とを備えているので、筐体を閉じたまま、キー操作ロック機能を解除することができ、操作性が向上する。
【産業上の利用可能性】
【００６９】
本発明は、キー操作ロック機能を有する携帯電話装置、ＰＨＳ等の携帯端末装置に適用でき、本発明を適用することにより、携帯端末装置の使い勝手を良くすることができる。
【図面の簡単な説明】
【００７０】
【図１】本発明を適用する折り畳み形状構造を有する携帯電話装置１の一例の外観図である。
【図２】携帯電話装置１の構成例を示すブロック図である。
【図３】記憶部７の内容例を示す図である。
【図４】制御部２の構成例を示す図である。
【図５】ロック制御手段２３の処理例を示すフローチャートである。
【図６】制御手段２５の処理例を示すフローチャートである。
【図７】認証手段２４の処理例を示すフローチャートである。
【図８】音楽再生中にロック指示が発生した場合（タイマ２２がタイムアウトした場合）の動作を説明するための図である。
【図９】キー操作ロック機能が有効になっているときに、着信があった場合の動作を説明するための図である。
【符号の説明】
【００７１】
１    携帯電話装置
２    制御部
２１    キー操作検出手段
２２    タイマ
２３    ロック制御手段
２４    認証手段
２５    制御手段
３    無線処理部
４    音声処理部
５    カメラ
６    開閉検出部
７    記憶部
７１    メイン条件記憶部
７２    サブ条件記憶部
７３    ロック中受け付け可能イベント記憶部
８    電源部
９    リーダ／ライタ
１０    非接触ＩＣカード
１１    データ処理部
１００    第１の筐体
１０１    アンテナ
１０２    受話部
１０３    表示部
２００    第２の筐体
２０１    前面キー操作部
２０２    送話部
２０３    側面キー操作部
３００    ヒンジ部
【国際調査報告】
2008038515.tif 000012
2008038515.tif 000013